(57)【要約】【課題】光学用途において、一軸配向フィルムは、さまざまな異なった視野角にわたるより均一な性能などの有用な光学特性をもたらす。【解決手段】伸張されたポリマーフィルムは、光学用途を含むさまざまな用途に使用することができる。伸張装置の伸張トラック（６４）の伸張条件および形状は、フィルム特性を定めるか、フィルム特性に影響を及ぼすことができる。取出しシステム（１４０、１４０’、１４１、１４１’）を使用して、伸張後フィルムを受けることができる。取出しシステムの構成は、少なくともいくつかの場合、最終フィルム特性に影響を及ぼすことができる。【選択図】図１０
2011116132.tif 000002
【特許請求の範囲】
【請求項１】
フィルムを処理するための装置であって、
前記フィルムを該装置内部で流れ方向に沿って搬送するように構成されたコンベヤであって、前記フィルムの両側の端縁部分を保持するように構成された把持部材を備え、一部分に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、両側のトラックと、所望量の伸張後に前記フィルムの両側の取出し領域を把握して、該フィルムの該両側の取出し領域を前記両側のトラックに沿って搬送するように構成された把持部材とを備え、前記両側のトラックは、該両側のトラックの少なくとも一部が互いに接近する方向へ角度を成して配置された領域を画定する、取出しシステムと、を具備する装置。
【請求項２】
前記両側のトラックが、該両側のトラックの全長に沿って互いに接近する方向へ角度を成して配置される、請求項１に記載の装置。
【請求項３】
前記両側のトラックの各々が、第１トラックセクションと第２トラックセクションとを少なくとも有し、該両側のトラックの該第１トラックセクションが、互いに接近する方向へ角度を成して配置される、請求項１に記載の装置。
【請求項４】
前記両側のトラックの各々が、第１トラックセクションと第２トラックセクションとを少なくとも有し、該両側のトラックの該第２トラックセクションが、互いに接近する方向へ角度を成して配置される、請求項１に記載の装置。
【請求項５】
前記両側のトラックの一部が、前記フィルムの搬送方向に対して各々３°以下の角度で、互いに接近する方向へ角度を成して配置される、請求項１に記載の装置。
【請求項６】
取出しシステムが、前記フィルムの搬送方向に対して任意角度で配置される、請求項１に記載の装置。
【請求項７】
フィルムを処理する方法であって、
把持部材を使用してフィルムの両側の端縁部分を保持することと、
前記フィルムを伸張装置の伸張領域内で末広がりの経路に沿って流れ方向に搬送して、該フィルムを伸張することと、
伸張後に、分離された取出しシステム内で、該取出しシステムの両側の把持部材を使用して前記フィルムの両側の取出し領域を把握することにより、該フィルムを受け取ることと、
前記両側の把持部材が互いに接近する方向へ角度を成して配置されている前記取出しシステムの部分を通して、前記フィルムを搬送することと、を含む方法。
【請求項８】
前記両側の把持部材が、前記取出しシステムの全長に沿って互いに接近する方向へ角度を成して配置される、請求項７に記載の方法。
【請求項９】
前記取出しシステムが、第１組の両側の把持部材と第２組の両側の把持部材とを少なくとも備え、該第１組の両側の把持部材が、互いに接近する方向へ角度を成して配置される、請求項７に記載の方法。
【請求項１０】
前記取出しシステムが、第１組の両側の把持部材と第２組の両側の把持部材とを少なくとも備え、該第２組の両側の把持部材が、互いに接近する方向へ角度を成して配置される、請求項７に記載の方法。
【請求項１１】
前記両側の把持部材の一部が、前記フィルムの搬送方向に対して３°以下の角度で、互いに接近する方向へ角度を成して配置される、請求項７に記載の方法。
【請求項１２】
フィルムを処理するための装置であって、
前記フィルムの両側の端縁部分を保持するとともに駆動部材の影響下で該フィルムを該装置内部で流れ方向に沿って搬送する把持部材を備えるコンベヤであって、一部分に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、第１組の両側のトラックと、第２組の両側のトラックと、所望量の伸張後に前記フィルムの両側の第１取出し領域を把握して、該フィルムを該第１組の両側のトラックに沿って搬送するように構成された複数の第１把持部材と、前記フィルムの両側の第２取出し領域を把握して、該フィルムを該第２組の両側のトラックに沿って搬送するように構成された複数の第２把持部材とを備え、前記第２取出し領域が、前記第１取出し領域よりも、前記フィルムの中心に近接して配置される、取出しシステムと、を具備する装置。
【請求項１３】
前記第２把持部材は、前記複数の第１把持部材の間に少なくとも部分的に配置される第１位置と、該第２把持部材が該第１把持部材の間に部分的には配置されない第２位置とから、移動するように構成される、請求項１２に記載の装置。
【請求項１４】
前記複数の第１把持部材が、互いに接近する方向へ角度を成して配置される、請求項１２に記載の装置。
【請求項１５】
前記複数の第２把持部材が、互いに接近する方向へ角度を成して配置される、請求項１２に記載の装置。
【請求項１６】
フィルムを処理するための装置であって、
前記フィルムの両側の端縁部分を保持するとともに駆動部材の影響下で該フィルムを該装置内部で流れ方向に沿って搬送する把持部材を備えるコンベヤであって、一部に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、両側のトラックと、所望量の伸張後に前記フィルムの両側の取出し領域を把握して、該フィルムの該両側の取出し領域を前記両側のトラックに沿って搬送するように構成された複数の把持部材とを備え、前記両側のトラックが、前記流れ方向に対して少なくとも１°の角度で配置される、取出しシステムと、を具備する装置。
【請求項１７】
前記取出しシステムの前記両側のトラックの少なくとも一部が、互いに接近する方向へ角度を成して配置される、請求項１６に記載の装置。
【請求項１８】
前記両側のトラックが、前記流れ方向に対して異なった角度で配置される、請求項１６に記載の装置。
【請求項１９】
前記取出しシステムの前記両側のトラックは、前記フィルムの前記両側の取出し領域が互いに同じ横断方向延伸比を有する位置で、該フィルムの該両側の取出し領域を把握するように構成される、請求項１６に記載の装置。
【請求項２０】
前記取出しシステムの前記両側のトラックは、前記フィルムの前記両側の取出し領域が互いに異なる横断方向延伸比を有する位置で、該フィルムの該両側の取出し領域を把握するように構成される、請求項１６に記載の装置。
【請求項２１】
前記末広がりの経路は、前記フィルムを伸張する前に前記フィルムの中心線が前記コンベヤの流れ方向に対して角度を成すように、前記フィルムを伸張するように構成される、請求項１６に記載の装置。
【請求項２２】
フィルムを処理するための装置であって、
前記フィルムの両側の端縁部分を保持するとともに駆動部材の影響下で該フィルムを該装置内部で流れ方向に沿って搬送する把持部材を備えるコンベヤであって、一部に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、両側のトラックと、所望量の伸張後に前記フィルムの両側の取出し領域を把握して、該フィルムの該両側の取出し領域を前記両側のトラックに沿って搬送するように構成された複数の把持部材とを備え、前記装置が、前記分離された取出しシステムの位置を前記コンベヤの位置に対して変更することによって、前記フィルムの最終の横断方向延伸比を選択できるように構成される、取出しシステムと、を具備する装置。
【請求項２３】
フィルムを処理するための装置であって、
前記フィルムを該装置内部で流れ方向に沿って搬送するように構成されたコンベヤであって、前記フィルムの両側の端縁部分を保持するように構成された把持部材を備え、一部分に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、両側のトラックと、所望量の伸張後に前記フィルムの両側の取出し領域を把握して、該フィルムの該両側の取出し領域を前記両側のトラックに沿って搬送するように構成された把持部材とを備え、前記両側のトラックは、前記両側のトラックの少なくとも一部が互いに離れる方向へ角度を成して配置された領域を画定する、取出しシステムと、を具備する装置。
【請求項２４】
前記両側のトラックが、該両側のトラックの全長に沿って互いに離れる方向へ角度を成して配置される、請求項２３に記載の装置。
【請求項２５】
前記両側のトラックの各々が、第１トラックセクションと第２トラックセクションとを少なくとも有し、該両側のトラックの該第１トラックセクションが、互いに離れる方向へ角度を成して配置される、請求項２３に記載の装置。
【請求項２６】
前記両側のトラックの各々が、第１トラックセクションと第２トラックセクションとを少なくとも有し、該両側のトラックの該第２トラックセクションが、互いに離れる方向へ角度を成して配置される、請求項２３に記載の装置。
【請求項２７】
前記両側のトラックの一部が、前記フィルムの搬送方向に対して各々３°以下の角度で、互いに離れる方向へ角度を成して配置される、請求項２３に記載の装置。
【請求項２８】
フィルムを処理するための装置であって、
前記フィルムを流れ方向に沿って搬送するように構成されたコンベヤであって、該フィルムの両側の端縁部分を保持するように構成された把持部材を備える、コンベヤと、
前記把持部材が末広がりの経路に沿って移動して前記フィルムを伸張するように構成される伸張領域と、
前記伸張領域の後に配置され、前記把持部材が先細経路に沿って移動するように構成された少なくとも１つのゾーンを有する後処理領域と、を具備する装置。
【請求項２９】
前記後処理領域が、第１ゾーンと第２ゾーンとを少なくとも有し、前記把持部材が、前記第１ゾーン内で第１角度で狭まる経路に沿って移動するとともに、前記第２ゾーン内で第２角度で狭まる経路に沿って移動するように構成され、前記第１および第２角度が実質的に異なる、請求項２８に記載の装置。
【請求項３０】
前記第１角度が約３°以下であり、前記第２角度が少なくとも約１５°である、請求項２９に記載の装置。
【請求項３１】
前記後処理領域の少なくとも１つのゾーンにおける前記先細経路が、３°以下の角度で狭まる、請求項２８に記載の装置。
【請求項３２】
前記後処理領域の少なくとも１つのゾーンにおける前記先細経路が、少なくとも１５°の角度で狭まる、請求項２８に記載の装置。
【請求項３３】
前記後処理領域の少なくとも１つのゾーンにおける前記先細経路が、２０°から３０°の範囲の角度で狭まる、請求項２８に記載の装置。
【発明の詳細な説明】
【技術分野】
【０００１】
一般に、本発明は、ポリマーフィルムを伸張するための方法および装置、ならびにこれらの方法および装置によって得られたフィルムに関する。本発明は、また、伸張後ポリマーフィルムを受けるための取出しシステムを使用する、ポリマーフィルムを伸張するための方法および装置に関する。
【背景技術】
【０００２】
ポリマーフィルムを伸張するためのさまざまな理由がある。伸張は、所望の機械特性、光学特性、および他のフィルム特性を、高めるか生じさせることができる。たとえば、ポリマーフィルムを伸張して、光学特性の一軸またはほぼ一軸の配向の所望の程度をもたらすことができる。一般に、複屈折ポリマーの完全一軸配向は、３つの直交する方向のうちの２つの屈折率が同じである（たとえば、図４に示されているようなフィルムの幅（Ｗ）および厚さ（Ｔ）方向）フィルム（またはフィルムの層）をもたらす。第３の方向（たとえば、フィルムの長さ（Ｌ）方向に沿った）の屈折率は、他の２つの方向の屈折率と異なる。典型的には、完全一軸配向は必要でなく、ポリマーフィルムの最終用途を含むさまざまな要因によって、最適な条件からのある程度のそれを可能にすることができる。
【先行技術文献】
【特許文献】
【０００３】
【特許文献１】米国特許第５，６９９，１８８号明細書
【特許文献２】米国特許第５，８２５，５４３号明細書
【特許文献３】米国特許第５，８８２，５７４号明細書
【特許文献４】米国特許第５，９６５，２４７号明細書
【特許文献５】米国特許第６，０９６，３７５号明細書
【特許文献６】国際公開第９５／１７３０３号パンフレット
【特許文献７】国際公開第９６／１９３４７号パンフレット
【特許文献８】国際公開第９９／３６８１２号パンフレット
【特許文献９】国際公開第９９／３６２４８号パンフレット
【特許文献１０】米国特許出願第１０／１５６，３４７号明細書
【特許文献１１】米国特許出願第１０／１５６，３４８号明細書
【特許文献１２】米国仮特許出願第６０／２９４，４９０号明細書
【特許文献１３】米国特許第５，７８３，１２０号明細書
【特許文献１４】米国特許第５，８６７，３１６号明細書
【特許文献１５】米国特許第６，０５７，９６１号明細書
【特許文献１６】米国特許第６，１１１，６９６号明細書
【特許文献１７】米国特許第６，１７９，９４８号明細書
【特許文献１８】米国特許出願第０９／８７１，１３０号明細書
【特許文献１９】米国特許出願第０９／６８６，４６０号明細書
【特許文献２０】米国特許第６，３６８，６９９号明細書
【特許文献２１】米国特許第６，１１３，８１１号明細書
【特許文献２２】米国特許第５，５１７，７３７号明細書
【特許文献２３】欧州特許出願Ｎｏ．０２３６１７１  Ａ１号明細書
【発明の概要】
【発明が解決しようとする課題】
【０００４】
光学用途において、一軸配向フィルムは、さまざまな異なった視野角にわたるより均一な性能などの有用な光学特性をもたらすことができる。他の用途も、ポリマーフィルムの一軸またはほぼ一軸の配向から利益を得ることができる。たとえば、一軸配向フィルムは、配向方向に沿って、より容易にフィブリル化または引裂される。
【課題を解決するための手段】
【０００５】
一般に、本発明は、ポリマーフィルムを処理するための方法および装置に関する。一実施形態は、フィルムを伸張するための装置である。この装置は、コンベヤと、分離された取出しシステムとを含む。コンベヤは、フィルムを装置内で流れ方向に沿って搬送するように構成される。コンベヤは、フィルムの両側の端縁部分を保持するように構成された把持部材を含む。コンベヤの一部が、把持部材が移動してフィルムを伸張する末広がりの経路を提供するように構成される。分離された取出しシステムは、フィルムを伸張した後、コンベヤからフィルムを受ける。取出しシステムは、両側のトラックと、所望の量の伸張の後、フィルムの両側の取出し領域を把握し、フィルムの両側の取出し領域を両側のトラックに沿って搬送するように構成された把持部材とを含む。両側のトラックは、両側のトラックの少なくとも一部が互いに接近する方向へ角度を成して配置された領域を規定する。
【０００６】
別の実施形態は、フィルムを処理する方法である。この方法は、把持部材を使用して、フィルムの両側の端縁部分を保持する工程を含む。次に、フィルムを、伸張装置の伸張領域内で末広がりの経路に沿って流れ方向に搬送して、フィルムを伸張する。次に、伸張後、分離された取出しシステム内で、取出しシステムの両側の把持部材を使用してフィルムの両側の取出し領域を把握することによって、フィルムを受ける。取出しシステム内で、両側の把持部材が互いに接近する方向へ角度を成して配置された、取出しシステムの部分を通って、フィルムを搬送する。
【０００７】
さらに別の実施形態は、フィルムを処理するための装置である。この装置は、コンベヤと、分離された取出しシステムとを含む。コンベヤは、フィルムの両側の端縁部分を保持し、駆動部材の影響下で、フィルムを装置内で流れ方向に沿って搬送する把持部材を有する。コンベヤの一部が、把持部材が移動してフィルムを伸張する末広がりの経路を提供するように構成される。分離された取出しシステムは、フィルムを伸張した後、コンベヤからフィルムを受ける。取出しシステムは、第１の組の両側のトラックと、第２の組の両側のトラックと、所望の量の伸張の後、フィルムの両側の第１の取出し領域を把握し、フィルムを第１の組の両側のトラックに沿って搬送するように構成された複数の第１の把持部材と、フィルムの両側の第２の取出し領域を把握し、フィルムを第２の組の両側のトラックに沿って搬送するように構成された複数の第２の把持部材とを含む。第２の取出し領域は、第１の取出し領域よりフィルムの中心の近くに配置される。
【０００８】
別の実施形態は、フィルムを処理するための装置である。この装置は、コンベヤと、分離された取出しシステムとを含む。コンベヤは、フィルムの両側の端縁部分を保持し、駆動部材の影響下で、フィルムを装置内で流れ方向に沿って搬送する把持部材を有する。コンベヤの一部が、把持部材が移動してフィルムを伸張する末広がりの経路を提供するように構成される。分離された取出しシステムは、フィルムを伸張した後、コンベヤからフィルムを受ける。取出しシステムは、両側のトラックと、所望の量の伸張の後、フィルムの両側の取出し領域を把握し、フィルムの両側の取出し領域を両側のトラックに沿って搬送するように構成された複数の把持部材とを有する。両側のトラックは、流れ方向に対して少なくとも１°の角度で配置される。
【０００９】
別の実施形態は、フィルムを処理するための装置である。この装置は、コンベヤと、分離された取出しシステムとを含む。コンベヤは、フィルムの両側の端縁部分を保持し、駆動部材の影響下で、フィルムを装置内で流れ方向に沿って搬送する把持部材を有する。コンベヤの一部が、把持部材が移動してフィルムを伸張する末広がりの経路を提供するように構成される。分離された取出しシステムは、フィルムを伸張した後、コンベヤからフィルムを受ける。取出しシステムは、両側のトラックと、所望の量の伸張の後、フィルムの両側の取出し領域を把握し、フィルムの両側の取出し領域を両側のトラックに沿って搬送するように構成された複数の把持部材とを有する。装置は、分離された取出しシステムの位置をコンベヤの位置に対して変えることによって、フィルムの最終横断方向延伸比の選択を可能にするように構成される。
【００１０】
さらに別の実施形態は、フィルムを伸張するための装置である。この装置は、コンベヤと、分離された取出しシステムとを含む。コンベヤは、フィルムを装置内で流れ方向に沿って搬送するように構成される。コンベヤは、フィルムの両側の端縁部分を保持するように構成された把持部材を含む。コンベヤの一部が、把持部材が移動してフィルムを伸張する末広がりの経路を提供するように構成される。分離された取出しシステムは、フィルムを伸張した後、コンベヤからフィルムを受ける。取出しシステムは、両側のトラックと、所望の量の伸張の後、フィルムの両側の取出し領域を把握し、フィルムの両側の取出し領域を両側のトラックに沿って搬送するように構成された把持部材とを含む。両側のトラックは、両側のトラックの少なくとも一部が互いに離れる方向へ角度を成して配置された領域を規定する。
【００１１】
別の実施形態は、フィルムを処理するための装置である。この装置は、コンベヤと、伸張領域と、後処理領域とを含む。コンベヤは、フィルムを流れ方向に沿って搬送するように構成される。コンベヤは、フィルムの両側の端縁部分を保持するように構成された把持部材を有する。伸張領域において、把持部材は、末広がりの経路に沿って移動してフィルムを伸張するように構成される。後処理領域は、伸張領域の後に配置され、かつ、把持部材が、先細経路に沿って移動するように構成された少なくとも１つのゾーンを含む。
【００１２】
他の実施形態は、上述された装置のいずれかを使用してフィルムを処理する方法を含む。
【００１３】
本発明の上記要約は、本発明の各々の開示された実施形態またはあらゆる実現を説明することが意図されていない。図および次の詳細な説明は、これらの実施形態をより特定的に例示する。
【００１４】
本発明は、添付の図面と関連して、本発明のさまざまな実施形態の次の詳細な説明を考慮して、より完全に理解されるであろう。
【００１５】
本発明は、さまざまな修正例および代替形態が可能であるが、その特定のものが、図面に例として示されており、詳細に説明される。しかし、本発明を、説明される特定の実施形態に限定しないことが意図されることが理解されるべきである。それどころか、本発明の精神および範囲内である修正例、均等物、および代替例をすべて網羅することが意図される。
【図面の簡単な説明】
【００１６】
【図１】フィルムを伸張するために使用される先行技術のテンター装置の概略上面図である。
【図２】伸張プロセス前および後の両方の、図１に示された先行技術のプロセスにおけるフィルムの一部の斜視図である。
【図３】本発明の一態様による工程を示すブロック図である。
【図４】伸張プロセス前および後の両方の、一軸伸張プロセスにおけるフィルムの一部の斜視図である。
【図５】本発明による伸張プロセスの一実施形態および伸張装置の一実施形態の概略図である。
【図６】本発明による伸張装置の一部の概略上面図である。
【図７】図６の装置の端面図である。
【図８】本発明による伸張装置の前処理領域の一実施形態を示す、伸張装置のトラックの一部の概略図である。
【図９】本発明による伸張装置の主伸張領域のための調整可能なトラックの一実施形態の概略図である。
【図１０】発明による伸張装置のための取出しシステムの一実施形態の概略図である。
【図１１】発明による伸張装置のための取出しシステムの別の実施形態の概略図である。
【図１２】発明による伸張装置のための取出しシステムの第３の実施形態の概略図である。
【図１３】発明による伸張装置のための取出しシステムの第４の実施形態の概略図である。
【図１４】発明による伸張装置のための取出しシステムの第５の実施形態の概略図である。
【図１５】本発明による伸張装置の主伸張領域のためのトラックの別の実施形態の概略図である。
【図１６】本発明による伸張装置のためのトラックおよびトラック形状制御ユニットの一実施形態の概略側断面図である。
【図１７】たとえば、図１に示されたような従来の伸張装置に使用するための、本発明による取出しシステムの一実施形態の概略図である。
【図１８】本発明による伸張装置の主伸張領域のための適切な境界軌道の例のグラフである。
【図１９】異なった放物線状構成を有する異なった伸張領域の使用を示す、本発明による伸張装置の主伸張領域のための適切な境界軌道の例のグラフである。
【図２０】適切な放物線状境界軌道または実質的に放物線状の境界軌道への線形近似である境界軌道を含む、本発明による伸張装置の主伸張領域のための適切な境界軌道の例のグラフである。
【図２１】図１６の一実施形態のトラックおよびトラック形状制御ユニットの一部の概略図である。
【図２２】図１６の一実施形態のトラックおよびトラック形状制御ユニットの別の部分の概略図である。
【発明を実施するための形態】
【００１７】
本発明は、ポリマーフィルムを伸張するための方法および装置、ならびにこれらの方法および装置を用いて製造されたフィルムに適用できると考えられる。さらに、本発明は、伸張後ポリマーフィルムを受けるための取出しシステムを使用する、ポリマーフィルムを伸張するための方法および装置に関する。ポリマーフィルムは、必要であれば、一軸配向またはほぼ一軸の配向を達成するために、これらの方法および装置を用いて伸張することができる。これらの方法および装置は、また、他の配向条件を達成するために用いることができる。
【００１８】
本発明は、一般に、いくつかの異なったポリマーフィルム、材料、およびプロセスに適用できる。本発明は、ポリマー光学フィルムの製造に特に適していると考えられる。本方法および装置は、必要であれば、従来の方法および装置を用いて製造された光学フィルムと比較して、向上した光学性能、向上した光学特性、制御された態様または方向における破壊または引裂への増加した傾向、高められた寸法安定性、より良好な処理性、より容易な製造性、およびより低いコストから選択される１つ以上の特性を有する光学フィルムまたは他のフィルムを製造するために用いることができる。
【００１９】
さまざまな光学フィルムを、本発明によって伸張または延伸することができる。フィルムは、単層または多層フィルムであることができる。適切なフィルムが、たとえば、特許文献１、特許文献２、特許文献３、特許文献４、および特許文献５、ならびに特許文献６、特許文献７、特許文献８、および特許文献９（これらの各々の内容全体を引用によりここに援用する）に開示されている。ここで説明される装置および方法は、特許文献１０および特許文献１１ならびに特許文献１２に記載された装置および方法の改良、追加、または変更を含み、これらの出願のすべてを引用によりここに援用する。
【００２０】
本発明によって製造されたフィルムは、たとえば、偏光子、反射偏光子、二色性偏光子、整列された反射／二色性偏光子、吸収偏光子、およびリターダ（ｚ軸リターダを含む）を含む、非常にさまざまな製品に有用であろう。ポリマーフィルムは、モノリシックまたは多層ポリマーフィルムであることができる。ポリマーフィルムは、また、特許文献１３、特許文献２、特許文献１４、特許文献１５、特許文献１６、および特許文献１７、ならびに特許文献１８および特許文献１９に記載されたような、拡散体または拡散反射偏光子などの、光学効果を形成する混和しないブレンドの層を含んでもよく、これらの特許および特許出願のすべてを引用によりここに援用する。これらのポリマーフィルムは、延伸前または後に提供されるコーティングまたは付加的な層を含むことができる。いくつかの適切なコーティングおよび層の例が、引用によりここに援用する特許文献２０に記載されている。いくつかの実施形態において、ポリマーフィルムは、溶融押出可能な配向染料、ワイヤグリッド偏光要素などの付加的な偏光要素を含む。有用な構造の一例が、フィルム上に形成される、たとえば、フィルムを伸張する前または後にフィルム上にコーティングされるポリビニルアルコール（ＰＶＡ）層を備えたフィルムである。ＰＶＡは、たとえばヨウ素染色方法、酸脱水方法、または染料埋込み方法によって、後処理して二色性偏光層を形成することができる。基材は、それ自体、光学反射能を有するまたは有さない、モノリシックなフィルムまたは多層構造であってもよい。この構造での使用に適したＰＶＡフィルムの例を、特許文献２１に見出すことができ、これを引用によりここに援用する。
【００２１】
本発明の特定のフィルムの１つの用途は、たとえば前面投射および背面投射システム用の偏光ビームスプリッタなどの、装置の構成要素として、または、ディスプレイ（たとえば、液晶ディスプレイ）もしくはマイクロディスプレイに使用される輝度向上フィルムとしてである。本発明による、以下で説明される伸張機を、長さ配向機（ｌｅｎｇｔｈ  ｏｒｉｅｎｔｅｒ）とともに使用して、鏡を製造してもよいことにも留意されたい。
【００２２】
一般に、プロセスは、流れ方向（ＭＤ）、横断方向（ＴＤ）、および法線方向（ＮＤ）に対応する３つの相互に直交する軸に関して説明することができるフィルムを伸張することを含む。これらの軸は、図４に示されているように、フィルムの幅、長さ、および厚さに対応する。伸張プロセスは、フィルムの領域２０を、最初の構成２４から最終の構成２６に伸張する。流れ方向は、フィルムが、伸張装置、たとえば図５に示されているような装置を通って移動する一般的な方向である。横断方向は、フィルムの平面内の第２の軸であり、流れ方向に直交する。法線方向は、ＭＤおよびＴＤの両方に直交し、ポリマーフィルムの厚さ寸法に一般に対応する。
【００２３】
図３は、本発明によるプロセスのブロック図である。工程３０において、フィルムは、フィルムを伸張するための装置に供給または提供される。プロセスは、任意に、前処理工程３２を含む。フィルムは、工程３４で伸張される。フィルムは、任意に、工程３６で後処理される。フィルムは、工程３８で伸張装置から取外される。
【００２４】
図５は、本発明の伸張装置および方法の一実施形態を示す。図３で示されたプロセスを、伸張装置（最小で図３の工程３４を行う）のほかに、１つ以上の付加的な装置を使用して行うことができることが認められるであろう。これらの１つ以上の付加的な装置は、伸張装置によって行われているような、図３に示され、図５に示された非伸張機能（たとえば、工程３０、３２、３６、および３８によって表された機能）の１つ以上を行う。
【００２５】
図５の示された実施形態において、装置は、フィルム４０が伸張装置に導入される領域３０を含む。フィルムは、任意の望ましい方法によって提供することができる。たとえば、フィルムを、ロールまたは他の形態で製造することができ、次に、伸張装置に提供することができる。別の例として、伸張装置を、押出機（たとえば、フィルムが押出によって生成され、押出後に伸張する準備ができている場合）またはコータ（たとえば、フィルムがコーティングによって生成されるか、１つ以上のコーティングされた層を受けた後に伸張する準備ができている場合）またはラミネータ（たとえば、フィルムが積層によって生成されるか、１つ以上の積層された層を受けた後に伸張する準備ができている場合）からフィルムを受けるように構成することができる。
【００２６】
一般に、フィルム４０は、領域３０で、フィルムの両側の端縁を保持し、かつフィルムを所定の経路を規定する両側のトラック６４に沿って搬送するように構成された１つ以上の把持部材に提供される。把持部材７０（図７を参照のこと）は、典型的には、フィルムをフィルムの端縁でまたは端縁の近くで保持する。フィルムの、把持部材によって保持された部分は、しばしば、伸張後の使用に適しておらず、そのため、把持部材の位置は、典型的には、プロセスによって生成される廃棄材料の量を制御しながら伸張することを可能にするように、フィルム上の十分な把持をもたらすように選択される。
【００２７】
適切な把持部材の一例としては、フィルムを両側の表面の間に順次把持し、次にトラックの周りを移動する一連のクリップが挙げられる。把持部材は、トラックに沿った溝またはチャネル内に入るか乗ることができる。別の例は、フィルムを、両側のベルトもしくはトレッド、または一連のベルトもしくはトレッドの間に保持し、かつフィルムをトラックに沿って送るベルトシステムである。必要であれば、ベルトおよびトレッドは、可撓性かつ連続または半連続フィルム搬送機構を提供することができる。さまざまな対立する多数のベルト方法が、たとえば、特許文献２２または特許文献２３（これらの各々の内容全体を引用によりここに援用する）に記載されている。ベルトの張力は、任意に、所望のレベルの把持を得るように調整可能である。
【００２８】
ベルトまたはクリップは、任意の材料から製造することができる。たとえば、ベルトは、複合構造であることができる。適切なベルトの一例は、高い張力を支持するための鋼などの金属から製造された内側の層と、良好な把持をもたらすためのエラストマーの外側の層とを含む。他のベルトを使用することができる。いくつかの実施形態において、ベルトは、良好な把持をもたらすために不連続トレッドを含む。
【００２９】
フィルムを伸張機を通って把持し搬送する他の方法が知られており、用いてもよい。いくつかの実施形態において、伸張装置の異なった部分が、異なったタイプの把持部材を使用することができる。
【００３０】
クリップなどの把持部材を、たとえば、把持部材が鎖に結合された状態で鎖をトラックに沿って回転させるローラ６２によって、トラックに沿って送ることができる。ローラは、フィルムが伸張装置を通って搬送されるときフィルムの速度および方向を制御するドライバ機構に連結される。ローラを使用して、ベルトタイプ把持部材を回転させ、かつベルトタイプ把持部材の速度を制御することもできる。ベルトおよびローラは、任意に、ベルトとローラとの間のすべりを低減または防止するために噛合い歯を含む。
【００３１】
図６および図７は、把持部材およびトラックの一実施形態を示す。この実施形態の把持部材７０は、一連のテンタークリップである。これらのクリップは、セグメント化によって全体的な可撓性をもたらすことができる。別々のクリップは、典型的には、密に詰められ、鎖などの可撓性構造に取付けられる。可撓性構造は、トラック６４に沿ってまたはトラック６４に沿ってチャネル内に乗る。戦略的に配置されたカムおよびカム表面は、所望の点でテンタークリップを開閉する。クリップおよび鎖アセンブリは、任意に、ホイールまたはベアリングなどの上に乗る。一例として、把持部材は、２対の内側および外側のレールの間でロールする頂部ベアリングおよび底部ベアリング上に取付けられたテンタークリップである。これらのレールは、少なくとも部分的に、トラックを形成する。
【００３２】
把持部材の端縁は、フィルムの伸張される部分の境界端縁を規定する。トラックに沿った把持部材の運動は、少なくとも部分的にフィルムの運動および延伸の原因である境界軌道（ｂｏｕｎｄａｒｙ  ｔｒａｊｅｃｔｏｒｙ）をもたらす。他の影響（たとえば、ダウンウェブ張力および巻取り装置）が、運動および延伸の他の部分を説明してもよい。境界軌道は、典型的には、把持部材が移動するトラックまたはレールからより容易に識別される。たとえば、たとえばテンタークリップなどの把持部材の中心の有効端縁を、トラックまたはレールの表面と同じ経路をたどるように整列させることができる。次に、この表面は、境界軌道と一致する。実際には、把持部材の有効端縁は、把持部材の下からのわずかなフィルムすべりまたは流出によって幾分不明瞭にされることがあるが、これらのそれを小さくすることができる。
【００３３】
さらに、テンタークリップなどの把持部材の場合、端縁面の長さが、実際の境界軌道に影響を及ぼすことができる。より小さいクリップが、一般に、境界軌道へのより良好な近似、およびより小さい伸張変動をもたらす。少なくともいくつかの実施形態において、クリップ面端縁の長さは、両側の境界軌道またはトラックの間の最初の距離全体の２分の１以下であり、４分の１以下であることができる。
【００３４】
２つの両側のトラックは、任意に、２つの別個のまたは分離可能なプラットフォーム上に配置されるか、そうでなければ、両側のトラック間の距離が調整可能であることを可能にするように構成される。これは、以下で説明されるように、異なったサイズのフィルムを装置によって伸張すべき場合、または主伸張領域の伸張構成を変えたいという要望がある場合、特に有用であることができる。両側のトラック間の分離または変化は、手動で、機械的に（たとえば、コンピュータまたは他の装置を使用して、トラック間の分離距離を変更することができるドライバを制御する）、または両方によって行うことができる。
【００３５】
フィルムが、両側のトラック上に取付けられた２組の両側の把持部材によって保持されるので、２つの両側の境界軌道がある。少なくともいくつかの実施形態において、これらの軌道は、延伸するフィルムのＭＤ中心線を中心とする鏡像である。他の実施形態において、両側のトラックは鏡像でない。そのような非鏡像配列は、フィルムを横切って１つ以上の光学特性または物理特性の変化（たとえば、主軸の勾配または回転）をもたらす際に有用であることができる。
【００３６】
図５を参照すると、装置は、任意に、オーブン５４、または伸張に備えてフィルムを加熱するための他の装置もしくは配列によって典型的には囲まれた前処理領域３２を含む。前処理領域は、予熱ゾーン４２、熱浸漬ゾーン４４、または両方を含むことができる。少なくともいくつかの実施形態において、図８の境界軌道によって示されるように、把持部材とフィルムとの間の接触を設定するために発生する小量のフィルム伸張があってもよい。少なくともいくつかの場合、実際には少しも伸張がないことがあるが、両側のトラックの間の分離の増加は、フィルムが加熱されるときのフィルムの熱膨張を少なくとも部分的に説明してもよい。
【００３７】
図８は、供給領域３０’、ならびにその後の前処理領域３２’および主伸張領域３４’を示す。前処理領域３２’内で（または任意に供給領域３０’で）、把持部材セットゾーン３１’が提供され、把持部材（たとえば、テンタークリップ）をフィルム上にセットするためにトラックがわずかに広がる。フィルムは、任意に、このゾーン内で加熱される。この最初のＴＤ伸張は、典型的には最終ＴＤ伸張の５％以下であり、一般に最終ＴＤ伸張の２％未満であり、しばしば最終ＴＤ伸張の１％未満である。いくつかの実施形態において、この最初の伸張が発生するゾーンの後に、トラックが実質的に平行であり、フィルムが高温で加熱または維持されるゾーン３３’が続く。
【００３８】
図５を参照すると、フィルムは、主伸張領域３４で伸張される。典型的には、主伸張領域３４内で、フィルムは、フィルムのポリマーのガラス転移より高い加熱環境で加熱または維持される。ポリエステルの場合、温度範囲は、典型的には８０℃から１６００℃である。適切な加熱要素の例としては、対流加熱要素および放射加熱要素が挙げられるが、他の加熱要素も使用することができる。いくつかの実施形態において、フィルムを加熱するために使用される加熱要素を、熱の可変量をもたらすように個別にまたはグループで制御することができる。そのような制御を、加熱要素の温度、または加熱要素からフィルムに送られる空気の方向もしくは速度の可変性を含むさまざまなプロセスによって維持することができる。必要であれば、加熱要素の制御を用いて、フィルムの領域を可変に加熱して、フィルムを横切る伸張の均一性を向上させるかそうでなければ変更することができる。たとえば、均一な加熱下で他の領域ほど伸張しないフィルムの領域をさらに加熱して、より容易な伸張を可能にすることができる。
【００３９】
主伸張領域３４内で、把持部材は、一般に末広がりのトラックに従い、ポリマーフィルムを所望の量だけ伸張する。主伸張領域および装置の他の領域のトラックは、さまざまな構造および材料を使用して形成することができる。主伸張領域の外側で、トラックは、典型的には、実質的に線形である。両側の線形トラックは、平行であることができるか、先細または末広がりであるように配列することができる。主伸張領域内で、トラックは、以下で説明されるように、一般に末広がりであり、一般に曲線である。
【００４０】
伸張装置のすべての領域において、トラックを、任意にともに結合された一連の線形または曲線セグメントを使用して形成することができる。トラックは、個別の領域の２つ以上（またはさらにはすべて）が分離されることを可能にする（たとえば、メンテナンスまたは構成のため）セグメントを使用して作ることができる。代替として、または特定の領域もしくは領域のグループにおいて、トラックを１つの連続構造として形成することができる。トラックは、伸張機の１つ以上の隣接した領域にまたがる連続構造を含むことができる。トラックは、連続構造および個別のセグメントの任意の組合せであることができる。
【００４１】
少なくともいくつかの実施形態において、主伸張領域のトラックは、前の領域のトラックに結合されるが、前の領域のトラックから分離可能である。次の後処理または取外し領域のトラック１４０、１４１は、典型的には、たとえば図５に示されているように、主伸張領域のトラックから分離される。
【００４２】
主伸張領域のトラックは曲線であるが、少なくともいくつかの実施形態において、線形トラックセグメントを使用することができる。これらのセグメントは、所望の曲線トラック構成への線形近似を生じるように互いに対して整列される（たとえば、個別の線形セグメントを、軸を中心として枢動することによって）。一般に、線形セグメントが短いほど、曲線近似を良好にすることができる。いくつかの実施形態において、線形セグメントの１つ以上、好ましくはすべての位置が、調整可能（軸を中心として枢動可能）であり、そのため、必要であれば、トラックの形状を調整することができる。調整は手動であることができるか、または、調整は、機械的に、好ましくはドライバに結合されたコンピュータもしくは他の装置の制御下で行うことができる。曲線セグメントを、線形セグメントの代わりにまたは線形セグメントに加えて使用することができることが理解されるであろう。
【００４３】
連続トラックも、各領域を通って使用することができる。特に、連続曲線トラックを、主伸張領域を通って使用することができる。連続曲線トラックは、典型的には、把持部材が走るトラックを規定する少なくとも１つの連続レールを含む。一実施形態において、曲線トラックは、２対の内側および外側のレールを含み、テンタークリップが４つのレールの間でロールする頂部ベアリングおよび底部ベアリング上に取付けられている。
【００４４】
いくつかの実施形態において、連続トラックは調整可能である。調整可能な連続トラックを作る１つの方法は、１つ以上のトラック形状制御ユニットの使用を含む。これらのトラック形状制御ユニットは、連続レールなどの連続トラックの一部に結合され、かつ、必要に応じてトラックに力を加えてトラックを曲げるように構成されている。図９は、トラック形状制御ユニット６５がトラック６４に結合されたそのような配列の一実施形態を概略的に示す。一般に、トラック形状制御ユニットは、トラック形状制御ユニットが加えることができるある範囲の力を有するが、いくつかの実施形態を、オンまたはオフである制御ユニットに限定してもよい。トラック形状制御ユニットは、典型的には、フィルムの中心の方に力を加えることができるか、フィルムの中心から離れて力を加えることができるか、好ましくは両方であることができる。トラック形状制御ユニットは、調整可能な連続トラック上の特定の点に結合することができるか、または、トラック形状制御ユニットは、トラックと制御ユニットとの間の結合を依然として維持しながら、トラックが制御ユニットに沿って横方向に摺動することができるように構成することができる。この配列は、制御ユニットが活性化されるときトラックがより自由に調整されることを可能にするので、より大きい範囲の運動を促進することができる。一般に、トラック形状制御ユニットは、トラックが、ある範囲の形状、たとえば図９の形状６７および６９を通って移動することを可能にする。典型的には、トラック形状制御ユニットおよびトラックは、運動の線（または他の幾何学的形状）に沿って移動することができる。２つ以上のトラック形状制御ユニットが使用される場合、トラック形状制御ユニットは、同じまたは同様の運動の線および運動の範囲を有することができるか、または、個別のトラック形状制御ユニットの運動の線および範囲は異なることができる。
【００４５】
適切なトラック形状制御ユニットおよびトラックの一例が、図１６に示されている。この実施形態のトラックは、４つのレール４００を含み、テンタークリップ（図示せず）が、４つのレールの間でロールするベアリング（図示せず）上に取付けられている。トラック形状制御ユニットは、ドライバ（図示せず）に結合されたベース４０２と、頂部および底部の内側の接触部材４０４と、頂部および底部の外側の接触部材４０６とを含む。内側および外側の接触部材４０４、４０６は、ベース４０２に結合され、それにより、ベースを移動させることは、接触部材が、それぞれレールの内面および外面に力を加えることを可能にする。好ましくは、内側および外側の接触部材は、図２１（レール４００および内側の接触部材４０６のみを示す）に示されているように、上または下から見たとき、内側の接触部材４０６レール４００の間の接触の小さい領域のみをもたらす形状を有する。そのような形状の例としては、円形および卵形、ならびにダイヤモンド、六角形、または他の同様の形状が挙げられ、内側の接触部材４０６とレールとの間の接触は、これらの形状の頂点で行われる。外側の接触部材４０４は、図２２（レール４００、および外側の接触部材４０４の、レールと接触する部分のみを示す）に示されているように、外側の接触部材の部分が、上または下から見たとき、レール４００と接触する点に来るように同様に形成することができる。そのような形状の使用は、トラック形状制御ユニットが、必要であれば力を加えてトラック形状を修正することを可能にし、一方、トラックが、制御ユニットに固定されるのではなく、制御ユニットを通って横方向に摺動することを可能にする。この構成は、また、トラックが、制御ユニット内でその瞬間勾配を調整することを可能にすることができる。これらの理由の１つまたは両方のため、トラックは、より大きい範囲の形状調整を有することができる。他の実施形態において、より少ないもしくはより多い接触部材があることができるか、または、内側の接触部材のみもしくは外側の接触部材のみがあってもよい。
【００４６】
図９に戻ると、いくつかの実施形態において、トラックの１つ以上の点７３が固定されている。固定点は、主伸張領域の開始もしくは開始の近く（図９に示されているような）または終わりもしくは終わりの近くを含む、トラックに沿ったどこでもあることができる。固定点７３は、図１５に示されているような、トラックに沿った他の点に位置決めすることもできる。
【００４７】
図１５にさらに示されているように、トラックは、異なった伸張特徴を有するか異なった数式で説明することができる、主伸張領域内のゾーン８１、８３、８５を提供するように構成することができる。いくつかの実施形態において、トラックは、これらの異なったゾーンを規定する形状を有する。他の実施形態において、トラックは、たとえば上で説明されたトラック形状制御ユニットを使用して、簡単な単機能（ｍｏｎｏｆｕｎｃｔｉｏｎａｌ）配列を越えるさまざまな形状８７、８９を提供するように調整することができる。これは、主伸張領域の異なった部分が所望の機能を達成することを可能にするので、有利であることができる。たとえば、最初の伸張ゾーンが、特定の形状（たとえば、以下で説明されるようにＵ＞１およびＦ＞１の超一軸（ｓｕｐｅｒ−ｕｎｉａｘｉａｌ）形状）を有し、その後、異なった形状（たとえば、一軸形状）を備えた１つ以上の後のゾーンが続いてもよい。任意に、１つの形状から別の形状に移行する中間ゾーンを提供することができる。いくつかの実施形態において、個別のゾーンを、トラックの固定された点７３によって分離または規定することができる。
【００４８】
いくつかの実施形態において、トラックは、トラックの曲げおよび成形を促進するようにトラックの長さに沿って不均一な断面形状を有する。たとえば、トラックに使用される１つ以上のレールが、異なった断面形状を有することができる。例として、上述された４レール構造において、レールの各々またはレールのサブセットが、トラックの長さに沿って、変えられた断面を有する。断面は、たとえば、トラック（または１つ以上の連続レールなどのトラックの構成要素）の高さもしくは厚さまたは両方を変更することによって変えることができる。例として、一実施形態において、トラックまたはトラックの１つ以上のレールの厚さは、トラックの長さに沿って流れ方向に減少または増加する。これらの変化を用いて、特定のトラック形状、またはトラック形状調整可能性の変化を支持することができる。たとえば、上述されたように、トラックは、各ゾーンが異なったトラック形状を有するいくつかの異なったゾーンを有してもよい。トラックまたはトラックの構成要素の断面変化は、特定のレール形状を達成または促進するように各ゾーン内で変わることができ、ゾーン間で変わることができる。例として、比較的厚い断面形状を備えたゾーンを、２つの他のゾーンの間に配置して、分離するか、２つのゾーンの間の移行空間を提供することができる。
【００４９】
トラックまたはレール断面の変化の例として、弧長（ａｒｃｌｅｎｇｔｈ）ｓを用いて、トラック、またはレールなどのトラックの一部の厚さプロファイルの設計において、トラックに沿った位置を表すことができる。弧長ｓは、延伸の開始において０と定義し、延伸の他端においてＬと定義し、延伸の始まりおよび終わりにおける対応する厚さは、それぞれ、ｈ（０）およびｈ（Ｌ）と示す。この特定の実施形態のトラックまたはトラック構成要素（たとえば、レール）は、位置Ｌ’における厚さｈ（Ｌ’）が、位置Ｌ”における厚さｈ（Ｌ”）より大きいように、ｓ＝０とｓ＝Ｌとの間、Ｌ’からＬ”までビームの一部にわたってテーパを有する。このように、Ｌ’またはＬ”が、より高い弧長座標にあってもよい（すなわち、Ｌ’＞Ｌ”またはＬ’＜Ｌ”）。有用な厚さプロファイルの一例が、Ｌ’からＬ”までレールにわたる弧長ｓの関数としての厚さｈ（ｓ）の関数によって与えられるテーパであり、下記式：
ｈ（ｓ）＝（ｈ（Ｌ’）−ｈ（Ｌ”））（１−（ｓ−Ｌ’）／（Ｌ”−Ｌ’））α＋ｈ（Ｌ”）（ここで、αは、テーパの正の割合であり、Ｌ’からＬ”まで減少する厚さをもたらす）で提供される。Ｌ’がＬ”より小さい場合、これは、弧長とともに減少する厚さをもたらす。Ｌ’がＬ”より大きい場合、これは、弧長とともに増加する厚さをもたらす。トラックは、任意に、各々がそれ自体の局所的なＬ’、Ｌ”、およびテーパの割合を有するセクションに割当てることができる。トラックまたはトラック構成要素の最大厚さは、トラック上のその点において望まれる可撓性の量による。ビーム理論を用いると、テーパを有する直線ビームの場合、３分の１のαの値が、一端における荷重に応じて放物線状に曲がるビームを提供することを示すことができる。ビームが、湾曲した平衡構成で始まるか、いくつかの制御点によって荷重をかけられる場合、他のテーパがより望ましいであろう。さまざまな他の形状を横切る変化について、所与のトラックまたはトラック構成要素内の増加する厚さおよび減少する厚さの両方、またはこれらのセクションのいずれかにわたるテーパの数値計算された形を有することが有用であろう。トラックまたはトラック構成要素に沿った任意の点における最小厚さは、延伸力を支持するためのトラックの必要な強度の量による。最大厚さは、必要な可撓性のレベルの関数であることができる。たとえば、トラックまたはトラック構成要素の永久的な降伏、および繰返し可能な調整能力の損失を回避するために、トラック調整のレベルを、トラックまたはトラック構成要素の弾性範囲内に維持することが、典型的には有益である。
【００５０】
両側のトラックによって規定された経路は、ＭＤ、ＴＤ、およびＮＤ方向のフィルムの伸張に影響を及ぼす。伸張（または延伸）変化は、１組の延伸比、すなわち、流れ方向延伸比（ＭＤＤＲ）、横断方向延伸比（ＴＤＤＲ）、および法線方向延伸比（ＮＤＤＲ）として説明することができる。フィルムに対して定められるとき、特定の延伸比は、一般に、所望の方向（たとえば、ＴＤ、ＭＤ、またはＮＤ）のフィルムの現在のサイズ（たとえば、長さ、幅、または厚さ）とその同じ方向のフィルムの最初のサイズ（たとえば、長さ、幅、または厚さ）との比と定義する。これらの延伸比を、延伸されるときのポリマーフィルムの観察によって定めることができるが、特に明記しない限り、ＭＤＤＲ、ＴＤＤＲ、およびＮＤＤＲへの言及は、ポリマーフィルムを伸張するために使用されるトラックによって定められた延伸比を指す。
【００５１】
伸張プロセスの任意の所与の点において、ＴＤＤＲは、境界軌道の現在の分離距離Ｌと、伸張の開始における境界軌道の最初の分離距離Ｌ0との比に対応する。換言すれば、ＴＤＤＲ＝Ｌ／Ｌ0である。いくつかの場合（図２および図４のように）、ＴＤＤＲは符号λで表される。伸張プロセスの任意の所与の点において、ＭＤＤＲは、広がり角θ、すなわち、ＭＤと、境界軌道、たとえばトラックまたはレールの瞬間タンジェントとの間の正の挟角のコサインである。当然、ｃｏｔ（θ）が、その点におけるトラックの瞬間勾配（すなわち、最初の導関数）に等しいことになる。ＴＤＤＲおよびＭＤＤＲが定められると、ポリマーフィルムの密度が伸張プロセスの間一定であれば、ＮＤＤＲ＝１／（ＴＤＤＲ*ＭＤＤＲ）である。しかし、フィルムの密度がρf（ρf＝ρ／ρ0であり、ρは、伸張プロセスの現在の点における密度であり、ρ0は、伸張の開始における最初の密度である）のファクタだけ変わると、期待されるようなＮＤＤＲ＝ρf／（ＴＤＤＲ*ＭＤＤＲ）である。材料の密度の変化は、たとえば、伸張または他の処理条件によって引起される、結晶化または部分結晶化などの相変化によるものを含む、さまざまな理由で発生することができる。
【００５２】
完全一軸延伸の条件は、図２に示されているように、横断方向の寸法の増加とともに、それぞれ、λ、（λ）-1/2、および（λ）-1/2の、ＴＤＤＲ、ＭＤＤＲ、およびＮＤＤＲをもたらす（材料の一定の密度を想定すると）。換言すれば、延伸の間の均一な密度を想定すると、一軸配向されたフィルムは、延伸全体にわたってＭＤＤＲ＝（ＴＤＤＲ）-1/2のものである。一軸特徴の程度の有用な尺度Ｕを、次のように定義することができる。
【数１】
2011116132.tif 000003
完全一軸延伸の場合、Ｕは、延伸全体にわたって１である。Ｕが１未満である場合、延伸条件は「一軸未満（ｓｕｂｕｎｉａｘｉａｌ）」と考えられる。Ｕが１より大きい場合、延伸条件は「超一軸」と考えられる。従来のテンターにおいて、図１および図２に示されているようにポリマーフィルムがトラック２に沿って線形に伸張されて、フィルムの領域４を伸張された領域６に伸張し、かつ、広がり角が比較的小さい（たとえば、約３°以下）場合、ＭＤＤＲは約１であり、Ｕは約０である。フィルムが二軸延伸され、ＭＤＤＲが１より大きい場合、Ｕは負になる。いくつかの実施形態において、Ｕは、１より大きい値を有することができる。１より大きいＵの状態は、過剰の緩和のさまざまなレベルを表す。これらの過剰に緩和された状態は、境界端縁からのＭＤ圧縮を生じる。ＭＤ圧縮のレベルがジオメトリおよび材料剛性に十分である場合、フィルムは座屈するかしわが寄る。
【００５３】
期待されるように、Ｕを密度の変化について補正して、次の式に従ってＵfを与えることができる。
【数２】
2011116132.tif 000004
【００５４】
好ましくは、フィルムは、図５に示されているような平面で延伸される（すなわち、境界軌道およびトラックは共面である）が、非共面伸張軌道も受入れられる。面内境界軌道の設計は、面内制約が変数の数を低減するので、簡単にされる。完全一軸配向の結果は、面内ＭＤ中心線から離れて広がる１対の鏡対称の面内放物線軌道である。放物線は、最初にＴＤを「ｘ」方向と定義し、ＭＤを「ｙ」方向と定義することによって描いてもよい。両側の境界放物線の間のＭＤ中心線を、ｙ座標軸としてもよい。座標原点は、主伸張領域の始まりであるように選択してもよく、放物線軌道間の中心トレースの最初の中心点に対応する。左側および右側の境界放物線は、それぞれ、マイナスおよびプラスｘ0で開始する（ｙ＝０）ように選択される。本発明のこの実施形態を具現する正のｙ値の右側の境界放物線軌道は、
ｘ／ｘ0＝（１／４）（ｙ／ｘ0）2＋１である。左側の境界放物線軌道は、上記式の左側にマイナス１を乗じることによって得られる。以下の説明において、右側の境界軌道を定める説明および方法を提示する。次に、フィルムの中心線に対して右側の境界軌道の鏡像をとることによって、左側の境界軌道を得ることができる。
【００５５】
共面放物線軌道は、理想的な条件下で一軸配向をもたらすことができる。しかし、たとえば、ポリマーフィルムの不均一な厚さ、伸張の間のポリマーフィルムの不均一な加熱、および、たとえば装置のダウンウェブ領域からの付加的な張力（たとえば、流れ方向張力）の付与を含む他の要因が、一軸配向を達成する能力に影響を及ぼすことがある。さらに、多くの場合、完全一軸配向を達成することは必要でない。代わりに、延伸全体にわたってまたは延伸の特定の部分の間に維持される最小もしくはしきい値Ｕ値または平均Ｕ値を定義することができる。たとえば、受入れられる最小／しきい値または平均Ｕ値は、望まれるように、または特定の用途に必要とされるように、０．７、０．７５、０．８、０．８５、０．９、または０．９５であることができる。
【００５６】
受入れられるほぼ一軸の用途の例として、液晶ディスプレイ用途に使用される反射偏光子のオフ角特徴は、ＴＤが主一軸延伸方向である場合、ＭＤ屈折率とＮＤ屈折率との差によって強く影響される。０．０８のＭＤとＮＤとの屈折率差が、いくつかの用途において受入れられる。０．０４の差が、他の用途において受入れられる。より厳しい用途において、０．０２以下の差が好ましい。たとえば、０．８５の一軸特徴の程度は、多くの場合、一軸横断延伸フィルムについて、６３３ｎｍにおいて、０．０２以下の、ポリエチレンナフタレート（ＰＥＮ）またはＰＥＮのコポリマーを含有するポリエステル系のＭＤ方向とＮＤ方向との間の屈折率差をもたらすのに十分である。ポリエチレンテレフタレート（ＰＥＴ）などのいくつかのポリエステル系の場合、０．８０またはさらには０．７５のより低いＵ値が、非実質的に一軸延伸されたフィルムのより低い固有の屈折率差のために受入れられるであろう。
【００５７】
一軸未満の延伸の場合、真に一軸の特徴の最終の程度を用いて、下記式：
Δｎyz＝Δｎyz（Ｕ＝０）×（１−Ｕ）（ここで、Δｎyzは、値ＵについてのＭＤ方向（すなわち、ｙ方向）の屈折率とＮＤ方向（すなわち、ｚ方向）の屈折率との間の差であり、Δｎyz（Ｕ＝０）は、延伸全体にわたってＭＤＤＲが１で維持される以外は同一に延伸されたフィルムの、その屈折率差である）によってｙ（ＭＤ）方向とｚ（ＮＤ）方向との間の屈折率適合のレベルを推定することができる。この関係は、さまざまな光学フィルムに使用されるポリエステル系（ＰＥＮ、ＰＥＴ、およびＰＥＮまたはＰＥＴのコポリマーを含む）について妥当に予測的であることがわかっている。これらのポリエステル系において、Δｎyz（Ｕ＝０）は、典型的には、２つの面内方向ＭＤ（ｙ軸）およびＴＤ（ｘ軸）の間の屈折差である差Δｎxy（Ｕ＝０）の約２分の１以上である。Δｎxy（Ｕ＝０）の典型的な値は、６３３ｎｍにおいて約０．２６までである。Δｎyz（Ｕ＝０）の典型的な値は、６３３ｎｍにおいて０．１５までである。たとえば、９０／１０ｃｏＰＥＮ、すなわち、約９０％のＰＥＮ状繰返し単位と１０％のＰＥＴ状繰返し単位とを含むコポリエステルは、約０．１４の高い伸びにおいて６３３ｎｍにおいて典型的な値を有する。実際のフィルム延伸比によって測定されるようなＵの値が、０．７５、０．８８、および０．９７であり、対応するΔｎyzの値が、６３３ｎｍにおいて、０．０２、０．０１、および０．００３である、この９０／１０ｃｏＰＥＮを含むフィルムが、本発明の方法によって製造されている。
【００５８】
ほぼまたは実質的に一軸の特徴である、受入れられる放物線軌道の１組を、次の方法によって定めることができる。この説明される方法は、「右側の」境界軌道を直接定め、「左側の」境界軌道を鏡像とする。最初に、両側の境界軌道の間で測定されたＴＤＤＲと、ＴＤＤＲの選択された範囲にわたるそれらの境界軌道の負でない広がり角のコサインと定義されたＭＤＤＲとの間の瞬間関数関係を定義することによって、条件を設定する。次に、問題のジオメトリを、放物線軌道の説明において説明されたように定義する。ｘ1を、境界軌道間の最初の半分の距離と定義し、比（ｘ／ｘ1）を瞬間ＴＤＤＲとして識別し、ここで、ｘは、境界軌道上の点の現在のｘ位置である。次に、ＴＤＤＲとＭＤＤＲとの間の瞬間関数関係を、ＴＤＤＲと広がり角との間の関係に変換する。Ｕの特定の値が選択されると、上記式は、ＭＤＤＲとＴＤＤＲとの間の特定の関係をもたらし、これは、次に、アルゴリズムに用いて、Ｕが１に近づく限定的な場合として放物線軌道も含む境界軌道のより広いクラスを特定することができる。次に、境界軌道を、次の微分方程式：
ｄ（ｘ／ｘ1）／ｄ（ｙ／ｘ1）＝ｔａｎ（θ）（ここで、ｔａｎ（θ）は、広がり角θのタンジェントであり、ｙは、所与のｘ座標に対応する右側の境界軌道上の両側の点の現在の位置のｙ座標である）を満たすように制約する。次に、たとえば、１から最大の所望の値までＴＤＤＲの履歴に沿って１／ｔａｎ（θ）を積分することによって、微分方程式を解いて、解析的にまたは数値的に、右側の境界軌道の完全な座標セット｛（ｘ，ｙ）｝を得てもよい。
【００５９】
受入れられる軌道の別の例として、放物線軌道をより小さいまたはより大きい最初の有効ウェブＴＤ長さで用いる面内軌道のクラスを説明することができる。ｘ1が、主伸張領域への入口において２つの両側の境界軌道の間の分離距離の半分である場合（すなわち、両側の境界軌道の間の最初の半分の距離である、最初のフィルムＴＤ寸法マイナスグリッパによって保持された縁）、このクラスの軌道は、次の式：
±（ｘ）／（ｘ1）＝（１／４）（ｘ1／ｘ0）（ｙ／ｘ1）2＋１（ここで、ｘ1／ｘ0をスケールされた入口分離と定義する）によって説明される。上記式が、完全に一軸の延伸をもたらした放物線状トラックを説明した場合、量ｘ0は、必要な２つの両側のトラックの間の分離距離の半分に対応する。スケールされた入口分離ｘ1／ｘ0は、一軸条件からの軌道のそれの表示である。一実施形態において、主伸張ゾーンの２つの両側のトラックの間の距離は、上述されたように調整可能であり、１と異なったＵおよびＦの値を提供するための軌道の操作を考慮する。たとえば、トラック形状制御ユニットを使用して、または所望の軌道を有する固定された形状を選択することによって軌道の形状を操作することを含む、これらの軌道を形成する他の方法も用いることができる。
【００６０】
超一軸延伸の場合、しわ寄りの激しさを、オーバフィードの概念を用いて定量化することができる。オーバフィードＦは、一軸ＭＤＤＲ（（ＴＤＤＲ）-1/2に等しい）を実際のＭＤＤＲで割ったものと定義することができる。実際のＭＤＤＲが一軸ＭＤＤＲより小さい場合、オーバフィードＦは１未満であり、ＭＤＤＲは不十分に緩和され、１未満のＵをもたらす。Ｆが１より大きい場合、延伸は超一軸であり、ＭＤＤＲは一軸のケースに対して過剰に緩和される。余分なゆるみの少なくとも一部を、しわとして対処することができ、というのは、圧縮座屈しきい値は、典型的には、薄いコンプライアントフィルムの場合低いからである。Ｆが１より大きい場合、オーバフィードは、ＭＤに沿ったしわの実際のフィルム外形長さと面内外形長さまたは空間との比に少なくともほぼ対応する。
【００６１】
一定の密度の場合のＴＤＤＲとＭＤＤＲとの間の関係のため、Ｆは、下記のように書くことができる。
Ｆ＝１／（ＭＤＤＲ×ＴＤＤＲ1/2）典型的には、Ｆは、設計目的には無関係の密度とする。プロセスの間のいつでもＦの大きい値が、大きいしわを引起すことがあり、これは、フィルムの他の部分に折り重なり、くっつき、欠陥を引起すことがある。少なくともいくつかの実施形態において、オーバフィードＦは、激しいしわ寄りまたは折り重なりを回避または低減するために、延伸の間２以下のままである。いくつかの実施形態において、オーバフィードは、延伸の過程の全体にわたって１．５以下である。いくつかのフィルムの場合、１．２またはさらには１．１のＦの最大値が、延伸全体にわたって可能にされる。
【００６２】
少なくともいくつかの実施形態、特に延伸全体を通してＵ＞１の実施形態の場合、現在のＴＤＤＲがあれば、オーバフィードの定義の再整理が、最小ＭＤＤＲに関する相対限界をもたらし、
ＭＤＤＲ＞１／（Ｆmax×ＴＤＤＲ1/2）ここで、Ｆmaxは、１より大きい任意の好ましいレベルで選択することができる。たとえば、Ｆは、上述されたように、２、１．５、１．２、または１．１であるように選択することができる。
【００６３】
オーバフィードが１未満である場合、真に一軸の延伸に望ましいより効果的に大きい、ＭＤに沿った面内空間があり、ＭＤＤＲは、不十分に緩和してもよく、ＭＤ張力を引起してもよい。結果は、１未満のＵ値であることができる。Ｕ、Ｆ、ＭＤＤＲ、およびＴＤＤＲの間の関係を用いると、ＴＤＤＲとともに変わる、ＵとＦとの間の対応する相互関係がある。２の臨界延伸比において、最小Ｕ値は、約０．９の最小オーバフィードに対応する。延伸全体についてＵ＞１である境界軌道を含む、少なくともいくつかの境界軌道の場合、ＭＤＤＲは、延伸の最終部分の間、特定のレベルより低いままであるように選択することができ、たとえば、
ＭＤＤＲ＜１／（Ｆmin×ＴＤＤＲ1/2）ここで、Ｆminは、２の延伸比の後の延伸の最終部分について０．９以上である。
【００６４】
例として、伸張全体にわたってＭＤＤＲ＜（ＴＤＤＲ）-1/2（すなわち、Ｕ＞１）である軌道を用いることができ、Ｆmaxは２であり、フィルムは、４のＴＤＤＲに伸張される。軌道が共面である場合、フィルムは、少なくとも２．４、しばしば少なくとも５．３のＴＤＤＲに伸張される。Ｆmaxが１．５である場合、フィルムは、少なくとも６．８のＴＤＤＲに伸張される。軌道が共面である場合、フィルムは、少なくとも２．１、しばしば少なくとも４．７のＴＤＤＲに伸張される。Ｆmaxが１．２である場合、フィルムは、共面軌道を用いて、少なくとも１．８、しばしば少なくとも４．０のＴＤＤＲに伸張される。共面または非共面境界軌道について、Ｆに制限がない場合、フィルムは、４より大きく、しばしば少なくとも６．８のＴＤＤＲに伸張される。
【００６５】
別の例において、伸張全体にわたって（Ｆmin）*（ＭＤＤＲ）＜（ＴＤＤＲ）-1/2である共面軌道を用いることができ、Ｆmaxは２であり、Ｆminは０．９であり、フィルムは、少なくとも４．６、しばしば少なくとも６．８のＴＤＤＲに伸張される。Ｆmaxが１．５である場合、フィルムは、少なくとも４．２、しばしば少なくとも６．１のＴＤＤＲに伸張される。Ｆmaxが１．２である場合、フィルムは、少なくとも３．７、しばしば少なくとも５．４のＴＤＤＲに伸張される。Ｆに制限がない場合、フィルムは、少なくとも８．４のＴＤＤＲに伸張される。伸張全体にわたって（Ｆmin）*（ＭＤＤＲ）＜（ＴＤＤＲ）-1/2である境界軌道も用いることができ、Ｆmaxは１．５であり、Ｆminは０．９であり、フィルムは、少なくとも６．８のＴＤＤＲに伸張される。
【００６６】
他の有用な軌道を、Ｆmaxを用いて定義することができる。有用な軌道としては、ＴＤＤＲが少なくとも５であり、Ｕが、２．５のＴＤＤＲを達成した後、伸張の最終部分にわたって少なくとも０．８５であり、Ｆmaxが、伸張の間２である共面軌道が挙げられる。有用な軌道としては、また、ＴＤＤＲが少なくとも６であり、Ｕが、２．５のＴＤＤＲを達成した後、伸張の最終部分にわたって少なくとも０．７であり、Ｆmaxが、伸張の間２である共面軌道が挙げられる。
【００６７】
さらに他の有用な共面軌道としては、延伸の最終部分の間ＭＤＤＲ＜ＴＤＤＲ-1/2＜（Ｆmax）*（ＭＤＤＲ）であり、ＴＤＤＲが臨界値ＴＤＤＲ’より大きいものが挙げられる。次のものは、軌道のために達成すべきである最小延伸比をもたらす。ＴＤＤＲ’が２以下である場合、Ｆmax＝２について、最小延伸は３．５であり、Ｆmax＝１．５について、最小延伸は３．２であり、Ｆmax＝２について、最小延伸は２．７である。ＴＤＤＲ’が４以下である場合、Ｆmax＝２について、最小延伸は５．８であり、Ｆmax＝１．５について、最小延伸は５．３であり、Ｆmax＝１．２について、最小延伸は４．８である。ＴＤＤＲ’が５以下である場合、Ｆmax＝２について、最小延伸は７であり、Ｆmax＝１．５について、最小延伸は６．４であり、Ｆmax＝１．２について、最小延伸は５．８である。
【００６８】
一般に、オーバフィードが、折り重なり欠陥を防止するために延伸全体にわたって臨界最大レベルより低いままであり、一方、真に一軸の特徴の所望のレベルをその結果として生じる特性とともに可能にするために臨界最小レベルより高いままであるように、曲線トラックおよび線形トラックを用いて、さまざまな受入れられる軌道を構成することができる。
【００６９】
さまざまな一軸未満の軌道および超一軸軌道を、放物線形状を用いて形成してもよい。図１８は、臨界ＴＤＤＲ後の異なったレベルの最小Ｕを示し、かつ最終の所望のＴＤＤＲまでの異なった最大オーバフィードを示す例を示す。曲線は、ｘ1、すなわちトラックの最初の分離距離の半分だけスケールされたような座標ｘおよびｙによって表される。したがって、スケールされたｘ座標、量（ｘ／ｘ1）は、ＴＤＤＲに等しい。曲線３００は、ｘ1／ｘ0の値が１．０の理想的なケースである。曲線３０２は、Ｕが、２．５の延伸比より高くで０．７０より大きいままである、ｘ1／ｘ0の値が０．６５３の放物線のケースである。曲線３０４は、Ｕが、２．５の延伸比後０．８５より高いままである、ｘ1／ｘ0の値が０．８２２の放物線のケースである。曲線３０６、３０８、および３１０は、オーバフィードのさまざまなレベルを示す。オーバフィード、ＴＤＤＲ、およびスケールされた入口幅は、下記式：
ｘ1／ｘ0＝（Ｆ2（ＴＤＤＲ）−１）／（ＴＤＤＲ−１）によって関連づけられる。当然、直接、オーバフィードが、ここで説明された放物線軌道の増加するＴＤＤＲとともに増加することになる。曲線３０６は、オーバフィードが、６．５の最終延伸比まで、１．２より低いままである、ｘ1／ｘ0の値が１．５２の放物線のケースである。曲線３０８は、オーバフィードが、６．５の最終延伸比まで、１．５より低いままである、ｘ1／ｘ0の値が２．４７７の放物線のケースである。曲線３１０は、オーバフィードが、６．５の最終延伸比まで、２より低いままである、ｘ1／ｘ0の値が４．５４５の放物線のケースである。オーバフィードのレベルは、これらの場合、最終延伸比の関数である。たとえば、４．５４５ではなくわずか４．３３３のｘ1／ｘ0の値を用いることは、オーバフィードを２未満に保ちながら、１０の最終ＴＤＤＲに延伸することを可能にする。
【００７０】
放物線軌道について、ある関係が、固定されたスケールされた入口幅について任意の所与のＴＤＤＲにおけるＭＤＤＲの直接計算を可能にする。
ＭＤＤＲ＝（ＴＤＤＲ（ｘ1／ｘ0）＋（１−ｘ1／ｘ0））-1/2１つの観察は、ＭＤＤＲとＴＤＤＲとの間の関係が、ｙ位置の陽関数ではないことである。これは、ｙ／ｘ1において垂直にシフトされた放物線軌道のセクションを含む複合混成曲線の構成を可能にする。図１９は、１つの方法を示す。延伸の最初の部分についての放物線軌道が選択され、曲線３２０であり、最終部分について放物線軌道が選択され、曲線３２２である。最初の曲線３２０は、４．５の延伸比において最大オーバフィードが２．０である超一軸延伸をもたらすように選択される。曲線３２０は、４．８５７のスケールされた入口幅を有する。最終曲線３２２は、４．５の延伸比において最小Ｕが０．９である一軸未満の延伸であるように選択される。曲線３２２は、０．８６８のスケールされた入口幅を有する。実際のトラック形状またはレール形状は、４．５のＴＤＤＲまで曲線３２０に従い、次に、曲線３２２の垂直にシフトされたものである曲線３２４に続く。換言すれば、軌道は、下記式：
±（ｘ）／（ｘ1）＝（１／４）（ｘ1／ｘ0）（ｙ／ｘ1）2＋１に対応する関数形を有するトラックで最初の伸張ゾーンを有することができ、次に、下記式：
±（ｘ）／（ｘ2）＝（１／４）（ｘ2／ｘ0）（（ｙ−Ａ）／ｘ2）2＋１に対応する関数形を有するトラックで後の伸張ゾーンを有することができ、ここで、ｘ1およびｘ2は異なり、Ａは、軌道の結合を可能にする垂直シフトに対応する。任意の数の放物線状セグメントをこのように組合せてもよい。
【００７１】
放物線軌道、およびそれらの複合混成を用いて、関連軌道の構成を導くことができる。一実施形態は、線形セグメントを使用して軌道を作ることを伴う。これらの線形近似は、臨界延伸比ＴＤＤＲ*より大きい選択されたＴＤＤＲ’において、最大オーバフィードおよび最小オーバフィード（または最小Ｕ）の放物線軌道（または複合混成）の範囲内で構成することができる。１．５、２、および２．５の値の例で、歪みにより誘起された結晶性の開始に関連するか、１．２またはさらには１．１のより低い値で弾性歪み降伏に関連づけてもよいＴＤＤＲ*の値を選択することができる。ＴＤＤＲ*の範囲は、一般に１．０５から３になる。ＴＤＤＲ*より低いレールまたはトラックの部分は、最小オーバフィードまたはＵに関するいかなる特定の制約を有さなくてもよく、制約放物線軌道の範囲外になってもよい。図２０において、曲線３４０が、６．５の値でここで示された、選択された延伸比ＴＤＤＲ’における、最小オーバフィードの制約放物線軌道であるように選択される。例示のため、最小オーバフィード制約放物線軌道は、１のスケールされた入口幅で、理想的な曲線として選択されている。オーバフィード、ＴＤＤＲ、およびスケールされた入口幅の間の関係を用いて、曲線３４２が、６．５のＴＤＤＲ値においてＦの最大値が２．０である、最大オーバフィードの制約放物線軌道として識別される。曲線３４２は、ここで垂直にシフトされて、曲線３４４を形成し、それにより、２つの制約放物線軌道は、６．５の選択されたＴＤＤＲ’において交わる。曲線３４２および３４４が延伸特徴に対して完全に等しいことに注意すべきである。曲線３４４は、２．４８９の、ｙ／ｘ1の後の空間的値まで、単に伸張を遅らせるだけである。線形セグメントまたは非放物線状曲線セグメントの近似は、ＴＤＤＲ*より高くでこれらの制約軌道の間にある傾向がある。
【００７２】
増加するＴＤＤＲとともに増加する広がり角を有する放物線軌道と異なり、線形軌道は、固定された広がり角を有する。したがって、オーバフィードは、線形セグメントに沿って、増加するＴＤＤＲとともに減少する。選択されたＴＤＤＲにおける所望の最小オーバフィードに等しい広がり角を有する線を選択することによって、簡単な線形近似を構成することができる。オーバフィードが、可能にされる最大値に等しくなるまで、線セグメントをＴＤＤＲの後方に外挿してもよい。その後の線形セグメントが、同様に開始される。この手順は、必要なだけまたは望まれるだけ繰返される。最大オーバフィードが減少するにつれて、近似に必要なセグメントの数が増加する。ＴＤＤＲがＴＤＤＲ*より低く降下した場合、最大オーバフィードに関する制約が維持される限り、任意の数の方法を用いて、トラックまたはレールを完成させてもよい。図２０において、曲線３４６が、２の最大オーバフィードによって制約された線形近似である。この大きい最大オーバフィードのため、それは、２つの線形セクションのみを含む。最終線形セグメントは、６．５の選択されたＴＤＤＲから１．６５のより低いＴＤＤＲまでずっと後方に延びる。この場合、ＴＤＤＲ*は２とする。２のＴＤＤＲより低くでＵに関する制約がなければ、トラックを仕上げる１つの方法は、１．６５におけるＴＤＤＲから、ｙ／ｘ1０点における１のＴＤＤＲに戻って第２の線形セグメントを外挿することである。これが、制約がＴＤＤＲ*より低くで効果的でないので、第２のセグメントがより低い制約放物線を横切ることを引起すことに留意されたい。
【００７３】
図２０において、曲線３４８が、１．５の、最大オーバフィードのより厳しい値を用いた結果である。ここで、最大オーバフィードの制約放物線軌道は示されていない。３つの線形セグメントが必要である。第１のセグメントは、６．５のＴＤＤＲから２．９のＴＤＤＲまで後方に延びる。第２のセグメントは、この２．９のＴＤＤＲ値における最小オーバフィードの制約放物線軌道に等しい広がり角を想定し、後方に１．３のＴＤＤＲまで延びる。この第２のセグメントは、ＴＤＤＲ*より低くで終わる。最終セグメントは、曲線３４６について用いられた方法と異なった方法を用いて、曲線３４８のトラック形状またはレール形状を完成させる。ここで、前のセグメントと同じ手順を最後のセグメントについて用い、より高いｙ／ｘ1値で伸張の開始の遅延をもたらす。トラックを完成させる第３の方法は、オーバフィードを１の最初のＴＤＤＲにおいて最大に設定することである。
【００７４】
本発明の要件に合う一般的な非線形軌道および非放物線軌道を、制約放物線軌道を用いて構成することができる。最大オーバフィード制約放物線軌道は、ＴＤＤＲの関数としての、最小勾配の曲線、すなわち最大広がり角である。最小オーバフィード制約放物線軌道は、ＴＤＤＲの関数としての、最大勾配の曲線、すなわち最小広がり角である。一般に、曲線は、制約境界の間にある勾配の任意の関数を用いて、選択されたＴＤＤＲ’から後方に外挿することができる。これらの制約の間にある勾配の関数を定義するための簡単な方法は、包絡線内の既知の曲線の簡単な線形組合せをとることである。図２０の曲線３５０は、この簡単な方法を示す。この例において、３５０は、それぞれ０．７および０．３の線形重量で、最大オーバフィード制約放物線軌道、曲線３４４と、それへの線形近似、曲線３４６との線形組合せによって、形成される。一般に、簡単な線形組合せでない関数も用いることができる。
【００７５】
本発明のさまざまな非放物線軌道を説明するための上述の方法を、トラックの異なったセクションにわたって適用することができ、たとえば、６．５までのＴＤＤＲについての図２０の例を、６．５を超えるＴＤＤＲについての別のセクションと、ＴＤＤＲのそのより高い範囲にわたって異なった要件ならびにしたがって異なった最大制約軌道および最小制約軌道で、組合せてもよい。この場合、より低い延伸の前のセクションＴＤＤＲ’が、ＴＤＤＲ*の役割を果たす。一般に、ＴＤＤＲ’は、所望の延伸の範囲にわたって選択してもよい。さまざまなセクションを用いて、降伏、歪みにより誘起された結晶化、ネッキング、または他の延伸不均一性の開始、歪み硬化の開始などの、延伸のさまざまな現象を説明するか、フィルム内のさまざまな特性の発生を説明してもよい。典型的なブレークポイントは、ＴＤＤＲ*のもの、ポリエステルの歪み硬化のための３から７の範囲、および４から１０以上の範囲内の典型的な最終延伸値を含む。
【００７６】
選択されたＴＤＤＲ’からより低いＴＤＤＲに後方に外挿する方法における、本発明の境界軌道を定めるための手順を、選択されたＴＤＤＲ”からより高いＴＤＤＲに前方に外挿する類似の方法に用いてもよい。再び、２つの制約軌道が形成され、最も低い選択されたＴＤＤＲ”において結合される。ＴＤＤＲ”の好都合な値は、１の最初のＴＤＤＲである。この方法において、最小オーバフィードまたはＵの制約軌道は、最大オーバフィード曲線より高くにある。図１９は、混成曲線３２４が、最小オーバフィード制約、曲線３２２と、最大オーバフィード制約、曲線３２０との間にある、この方法の例を実際に示す。
【００７７】
さらに別のクラスの境界軌道を定義することができ、いくつかの実施形態において、残留しわを抑制するのに有用であろう。剪断がない状態での一軸条件が、０の主ＭＤ応力をもたらすので、有限歪み分析を用いて、主ＭＤ応力が、これらの条件下で実際にわずかな圧縮になることが予想される。有限歪み分析およびネオフック（Ｎｅｏ−Ｈｏｏｋｅａｎ）弾性固体構成方程式を用いて、圧縮応力を防止するための適切な基準が、任意に、下記式：
（（ＴＤＤＲ）（ＭＤＤＲ））-4＋（（ＴＤＤＲ）（ＭＤＤＲ））2−（ＴＤＤＲ）-2−（ＭＤＤＲ）-2−ｓｉｎ2（θ）（（ＴＤＤＲ）（ＭＤＤＲ））-2＝０（ここで、ＭＤＤＲは、広がり角のコサインである）によって与えられてもよいことが発見される。次に、本発明のこの任意の方法は、このクラスの境界軌道を特定する。
【００７８】
上で示されたように、フィルムは、面外境界軌道、すなわち、１つのユークリッド平面内にない境界軌道を用いて、平面外に延伸してもよい。本発明のこの好ましい実施形態の関係要件を満たす、無数であるが特定の境界軌道があり、そのため、実質的に一軸の延伸履歴を、面外境界軌道を用いて維持してもよい。境界は、対称的であってもよく、中心平面、たとえば、境界軌道間の最初の中心点、フィルム移動の最初の方向、および未伸張フィルム表面に対する最初の法線を含む平面を通る鏡像を形成してもよい。この実施形態において、フィルムが、境界軌道に沿って、等しい速度で、同様の最初の位置、すなわち互いにかつ最初の中心点と共線的な、から移動するとき、フィルムを、境界軌道の間に、２つの両側の境界軌道の間の最短距離の線セグメントのセットによって形成された円筒形空間マニホルドに沿って延伸してもよい。したがって、中心平面上のこの理想的なマニホルドのトレースは、理想的な延伸のためのフィルム中心の経路をたどる。このマニホルドに沿った境界軌道から中心平面上のこの中心トレースまでの距離と、境界軌道の開始から最初の中心点までの元の距離との比が、境界軌道にまたがるフィルムを横切る瞬間公称ＴＤＤＲ、すなわち、境界軌道上の現在の両側の点の間の半分の距離と、境界軌道上の両側の点の最初の位置の間の半分の距離との比である。２つの両側の点が、一定のかつ同一の速度で、両側の境界軌道に沿って移動するとき、中心トレース上の対応する中心点は、中心トレースの弧、すなわち曲線ＭＤに沿って測定されるような速度を変える。特に、中心トレースは、中心トレースの単位タンジェントに対する境界軌道の単位タンジェントの射影に比例して変わる。
【００７９】
上述された軌道のクラスは、例示的なものであり、限定的なものと解釈されるべきではない。多数の軌道クラスが、本発明の範囲内にあると考えられる。上で示されたように、主伸張領域は、異なった伸張条件で２つ以上の異なったゾーンを含むことができる。たとえば、第１のクラスの軌道からの１つの軌道を、最初の伸張ゾーンのために選択することができ、同じ第１のクラスの軌道または異なったクラスの軌道からの別の軌道を、その後の伸張ゾーンの各々のために選択することができる。
【００８０】
本発明は、約０．７、より好ましくは約０．７５、さらに好ましくは約０．８、さらに好ましくは約０．８５のＵの最小値を含むほぼ一軸の境界軌道をすべて網羅する。最小Ｕの制約を、好ましくは約２．５、さらに好ましくは約２．０、より好ましくは約１．５の臨界ＴＤＤＲによって定義された延伸の最終部分にわたって適用してもよい。いくつかの実施形態において、臨界ＴＤＤＲは４または５であることができる。臨界ＴＤＤＲより高くで、特定の材料、たとえば、配向可能な複屈折ポリエステルを含む特定のモノリシックなフィルムおよび多層フィルムが、歪みにより誘起された結晶性などの構造の発生のため、それらの弾性またはスナップバック能力を失い始めることがある。臨界ＴＤＤＲは、歪みにより誘起された結晶化の開始のための臨界ＴＤＤＲなど、さまざまな材料およびプロセス（たとえば温度および歪み速度）特定事象と一致してもよい。そのような臨界ＴＤＤＲより高くでのＵの最小値は、最終フィルム内にセットされた非一軸特徴の量に関連することができる。
【００８１】
Ｕが伸張期間の終わりに一軸未満である場合、さまざまな境界軌道が利用可能である。特に、有用な境界軌道としては、ＴＤＤＲが少なくとも５であり、Ｕが、２．５のＴＤＤＲを達成した後、伸張の最終部分にわたって少なくとも０．７であり、Ｕが、伸張の終わりに１未満である共面軌道が挙げられる。他の有用な軌道としては、ＴＤＤＲが少なくとも７であり、Ｕが、２．５のＴＤＤＲを達成した後、伸張の最終部分にわたって少なくとも０．７であり、Ｕが、伸張の終わりに１未満である共面軌道および非共面軌道が挙げられる。有用な軌道としては、また、ＴＤＤＲが少なくとも６．５であり、Ｕが、２．５のＴＤＤＲを達成した後、伸張の最終部分にわたって少なくとも０．８であり、Ｕが、伸張の終わりに１未満である共面軌道および非共面軌道が挙げられる。有用な軌道としては、ＴＤＤＲが少なくとも６であり、Ｕが、２．５のＴＤＤＲを達成した後、伸張の最終部分にわたって少なくとも０．９であり、Ｕが、伸張の終わりに１未満である共面軌道および非共面軌道が挙げられる。
【００８２】
有用な軌道としては、また、ＴＤＤＲが少なくとも７であり、Ｕが、２．５のＴＤＤＲを達成した後、伸張の最終部分にわたって少なくとも０．８５である共面軌道および非共面軌道が挙げられる。
【００８３】
いくつかの実施形態において、しわ寄りを抑制するために、小さいレベルのＭＤ張力が伸張プロセスに導入される。一般に、必然的ではないが、そのようなＭＤ張力の量は、減少するＵとともに増加する。
【００８４】
いくつかの実施形態において、延伸が進むにつれて、張力を増加させることが有用である。たとえば、延伸のより早くでのＵのより小さい値が、より非一軸の特徴を最終フィルム内にセットする傾向があるであろう。したがって、さまざまな軌道クラスの属性を複合軌道に組合せることが有利であろう。たとえば、一軸放物線軌道が、延伸のより早い部分において好ましく、一方、延伸のより後の部分が、異なった軌道上で細まってもよい。別の配列において、Ｕを、ＴＤＤＲでの非増加関数としてもよい。さらに別の配列において、オーバフィードＦが、たとえば、１．５、２、または２．５の臨界延伸比の後、ＴＤＤＲでの非増加関数であってもよい。
【００８５】
一軸放物線軌道は、フィルムの均一な空間的延伸を想定する。フィルムの良好な空間的均一性は、多くのポリマー系で、延伸の開始時および延伸の間の温度分布の注意深い制御と合せて、最初の未延伸フィルムまたはウェブのクロスウェブおよびダウンウェブキャリパ（厚さ）分布の注意深い制御で、達成することができる。たとえば、ほとんどの場合、最初、および最初に均一なキャリパのフィルムの延伸の間の、フィルムを横切る均一な温度分布が、十分なはずである。多くのポリマー系が、不均一性に特に敏感であり、キャリパおよび温度均一性が不十分な場合、不均一に延伸する。たとえば、ポリプロピレンは、一軸延伸下で「線延伸」の傾向がある。特定のポリエステル、特にポリエチレンナフタレートも、非常に敏感である。
【００８６】
不均一なフィルム伸張は、たとえば、不均一なフィルム厚さまたは他の特性、不均一な加熱などを含むさまざまな理由で発生することがある。これらの場合の多くにおいて、把持部材に近いフィルムの部分が、中心より速く延伸する。これは、最終の均一なＭＤＤＲを達成する能力を制限することがあるフィルムのＭＤ張力を生じる。この問題の１つの補償が、放物線状または他の一軸軌道を修正して、より低いＭＤＤＲを提示することである。換言すれば、延伸の一部またはすべてについてＭＤＤＲ＜（ＴＤＤＲ）-1/2である。
【００８７】
一実施形態において、延伸のすべてについて、より大きい広がり角に対応するＭＤＤＲ＜（ＴＤＤＲ）-1/2の、修正された放物線状または他の一軸軌道が選択される。少なくともいくつかの場合、１未満のＵ値がこの用途に受入れられるので、この条件を緩和することができる。そのような場合、（０．９）ＭＤＤＲ＜（ＴＤＤＲ）-1/2の修正された放物線状または他の一軸軌道が選択される。
【００８８】
別の実施形態において、最初の伸張ゾーンについてＭＤＤＲ＜（ＴＤＤＲ）-1/2であり、ＴＤＤＲが少なくとも０．５または１だけ増加された、修正された放物線状または他の一軸軌道が選択される。次に、異なった軌道が、延伸の残りについて維持される。たとえば、後の伸張ゾーン（伸張領域３４内）が、ＭＤＤＲが（ＴＤＤＲ）-1/2に等しいまたはほぼ等しい（±５％以内、好ましくは±３％以内）放物線状または他の一軸軌道を有する。例として、最初の伸張ゾーンが、所望の値までのＴＤＤＲレベルを達成することができる。この所望の値は、典型的には４または５以下である。次に、後の伸張ゾーンが、ＴＤＤＲを最初の伸張ゾーンの所望の値から（または介在する伸張ゾーンがある場合はより高い値から）増加させることができる。一般に、後の伸張ゾーンは、ＴＤＤＲ値を０．５または１以上だけ増加させるように選択される。
【００８９】
再び、少なくともいくつかの場合、１未満のＵ値がこの用途に受入れられるので、ＭＤＤＲおよびＴＤＤＲの関係を緩和することができる。そのような場合、（０．９）ＭＤＤＲ＜（ＴＤＤＲ）-1/2の、最初の伸張ゾーンの修正された放物線状または他の一軸軌道が選択される。
【００９０】
図５を参照すると、装置は、典型的には、後処理領域３６を含む。たとえば、フィルムをゾーン４８でセットし、ゾーン５０で急冷してもよい。いくつかの実施形態において、急冷は伸張装置の外側で行われる。典型的には、フィルムは、フィルムの少なくとも１つの構成要素、たとえば、多層フィルムの１層タイプが、ガラス転移より低い温度に達するとセットされる。フィルムは、すべての構成要素がそれらのガラス転移より低い温度レベルに達すると急冷される。図５に示された実施形態において、主伸張領域３４からフィルムを取外すために取出しシステムが使用される。示された実施形態において、この取出しシステムは、フィルムが主伸張領域を通って搬送されたトラックと無関係である（すなわち、直接連結されていない）。取出しシステムは、たとえばベルトまたはテンタークリップの両側のセットなどの把持部材とともに、トラック１４０、１４１などの任意のフィルム搬送構造を使用することができる。
【００９１】
図１０に示されているようないくつかの実施形態において、（適切な取出しシステムの他の実施形態に使用することができる平行なトラック１４０、１４１と比較して）角度をつけられたトラック１４０’、１４１’を使用して、ＴＤ収縮制御を行うことができる。たとえば、取出しシステムのトラックを、後処理領域の少なくとも一部を通って徐々に狭まる経路（約５°以下の角度θを作る）に従うように位置決めして、冷却でのフィルムのＴＤ収縮を考慮することができる。この構成のトラックは、ＴＤ収縮の制御を可能にして、収縮の均一性を増加させる。他の実施形態において、２つの両側のトラックは、典型的には約３°以下の角度で末広がりであることができるが、より広い角度をいくつかの実施形態で用いることができる。これは、たとえばフィルムを横切る、屈折率の主軸の変化などの特性不均一性を低減するために、主伸張領域のフィルムのＭＤ張力を増加させるのに有用であることができる。
【００９２】
いくつかの実施形態において、取出しシステムの位置は、図１１に示されているように、取出しシステムがフィルムを把持する、伸張装置に沿った位置を変えるように調整可能であることができる。この調整可能性は、フィルムが曝される伸張の量を制御するための１つの方法を提供する。延伸のより早くに取出しシステムのトラック１４０’、１４１’によって受けられたフィルム（図１１の点線で示された）は、一般に、延伸のより後に位置決めされた取出しシステムのトラック１４０、１４１によって受けられたフィルム（図１１の実線で示された）より小さいＴＤＤＲを有する。取出しシステムは、また、任意に、取出しシステムの両側のトラックの間の距離の調整を可能にするように構成することができる。さらに、取出しシステムは、また、任意に、取出しシステムの長さの調整を可能にするように構成することができる。
【００９３】
可能な取出しシステムの別の例は、分離されたトラック１４０、１４１、１４２、１４３を備えた、少なくとも２つの異なった領域を含む。これらの領域は、図１２に示されているような、両側のトラックの２つの別個のセット１４０、１４１および１４２、１４３を使用して形成することができる。図１２に示された一実施形態において、第１の領域は、ＴＤ収縮制御をもたらすように先細角で配置されたトラック１４０、１４１を含むことができ、第２の領域のトラック１４２、１４３は、平行であることができる。他の実施形態において、２つの異なった領域の両側のトラックは、上述されたようにＴＤ収縮制御をもたらすように２つの異なった先細角でセットすることができるか、または、第１の領域は平行なトラックを有することができ、第２の領域は、ＴＤ収縮制御をもたらすように先細角で配置されたトラックを有する。あるいは、またはさらに、２つの異なったトラックを、２つの異なった取出し速度でセットして、主伸張領域を取出し領域から切り離すことができ、それは、張力を加えて、しわを除去する。
【００９４】
一実施形態において、図１２に示された取出しシステム、トラック１４２’、１４３’は、フィルムを受ける前、両側のトラック１４０、１４１内に入れられる。フィルムが両側のトラック１４０、１４１によって最初に受けられると、トラック１４２、１４３は、図１２に示された位置に移動する。他の実施形態において、両側のトラック１４０、１４１、１４２、１４３は、フィルムが少しもない状態で、図１２に示されているように位置決めされる（すなわち、入れられない）。
【００９５】
取出しシステムの別の例が、図１３に示されている。この例において、取出しシステムのトラック１４０、１４１は、フィルムが主伸張領域のトラック６４を通って搬送されるとき、フィルムの中心線に対して角度をつけられる。２つの両側の搬送機構の角度は、同じ、たとえば角度βであることができるか、または、角度は、異なることができ、一方のトラックについてβ＋εと説明することができ、他方のトラックについてβ−εと説明することができる。典型的には、βは、少なくとも１°であり、５°、１０°、または２０°度以上の角度であることができる。角度εは、ＴＤ収縮制御などをもたらすように、上述された先細角または広がり角に対応する。いくつかの実施形態において、主伸張ゾーンのトラック６４は、また、角度φで配置することができ、トラック１４０、１４１は、図１３に示されているようにφ＋β＋εおよびφ＋β−εで角度をつけられる。角度をつけられた取出しシステム、主伸張ゾーン、または両方が、屈折率軸または引裂軸などの、フィルムの特性の主軸または軸が、フィルムに対して角度をつけられたフィルムを提供するのに有用であることができる。いくつかの実施形態において、取出しシステムが主伸張ゾーンに対して作る角度は、手動で、またはコンピュータ制御ドライバもしくは他の制御機構を使用して機械的に、または両方で調整可能である。
【００９６】
角度をつけられた取出しシステムを使用するいくつかの実施形態において、２つの両側のトラックは、図１３に示されているように、同じまたは実質的に同様のＴＤＤＲを有するフィルムを受けるように位置決めされる（ここで、点線は、同じＴＤＤＲにおけるフィルムを示す）。他の実施形態において、２つの両側のトラック１４０、１４１は、図１４に示されているように、ＴＤＤＲが２つの両側のトラックについて異なるように、フィルムを受けるように位置決めされる（図１４の点線は、同じＴＤＤＲにおけるフィルムを示す）。この後者の構成は、フィルムのＴＤ寸法にわたって変わる特性を有するフィルムを提供することができる。
【００９７】
典型的には、主伸張領域を通って把持部材によって保持されたフィルムの部分が除去される。横断伸張の終わりに、延伸履歴の実質的にすべてにわたって実質的に一軸の延伸を維持するために（図５に示されているように）、急速に広がる端縁部分５６は、好ましくは、スリッティング点５８において、伸張されたフィルム４８から切断される。カットを５８で行うことができ、ばりまたは使用できない部分５６を捨てることができる。
【００９８】
連続把持機構からの縁の解放は、連続的に行うことができるが、テンタークリップなどの別々の把持機構からの解放は、好ましくは、任意の所与のクリップ下の材料がすべて一度に解放されるように行われるべきである。この別々の解放機構は、上流の延伸ウェブによって感じられてもよい、応力のより大きい混乱を引起してもよい。分離取出し装置の作用を助けるために、装置の連続縁分離機構、たとえば、加熱された延伸されたフィルムの中心部分からの縁の「ホット」スリッティングを用いることが好ましい。
【００９９】
スリッティング位置は、好ましくは、「把持線」に十分近く、たとえば、取出しシステムの把持部材による第１の有効接触の分離取出し点に配置されて、その点の上流の応力混乱を最小にするか低減する。フィルムが取出しシステムによって把持される前にフィルムがスリットされる場合、たとえばＴＤに沿ったフィルム「スナップバック」によって、不安定な取出しが生じることがある。したがって、フィルムは、好ましくは、把持線においてまたは把持線の下流でスリットされる。スリッティングは、破壊プロセスであり、したがって、典型的には、空間的位置の、小さいが自然の変化を有する。したがって、把持線のわずかに下流でスリットして、スリッティングのいかなる一時的な変化も把持線の上流で発生することを防止することが好ましいであろう。フィルムが把持線から実質的に下流でスリットされる場合、取出しと境界軌道との間のフィルムは、ＴＤに沿って伸張し続ける。フィルムのこの部分のみが現在延伸しているので、それは、現在、境界軌道に対して増幅された延伸比で延伸し、上流に伝播することがあるさらなる応力混乱、たとえば、上流に伝播する流れ方向張力の望ましくないレベルを生じる。
【０１００】
スリッティングは、好ましくは、可変最終横断延伸方向比に対応するのに必要な取出し位置の変化、または取出しシステムの位置の調整とともに変わることができるように、可動かつ再位置決め可能である。このタイプのスリッティングシステムの利点は、単に取出しスリッティング点５８を移動させることによって、延伸プロファイルを維持しながら、延伸比を調整することができることである。
【０１０１】
ヒートレザー、ホットワイヤ、レーザ、強度のＩＲ放射線の集束ビーム、または加熱空気の集中ジェットを含むさまざまなスリッティング技術を用いることができる。加熱空気ジェットの場合、空気は、たとえば、ジェット下の熱軟化、溶融、および制御された破壊によって、フィルムに穴をブローするのに、ジェット中で十分に熱くてもよい。あるいは、加熱ジェットは、単に、フィルムの集中セクションを十分に軟化させて、依然として広がる境界軌道によって強いられるさらなる延伸を局所化してもよく、したがって、続けられたフィルムの伸びの作用によって、この加熱ラインに沿って下流の最終的な破壊を引起してもよい。集中ジェット方法は、いくつかの場合、特に、漂遊温度流が延伸プロセスの均一性を混乱させないようにするために、制御された態様で、たとえば真空排気によって、排気空気を積極的に除去することができる場合、好ましいであろう。たとえば、ジェットノズルの周りの同軸排気リングを使用することができる。あるいは、たとえばフィルムの他方の側の、ジェットの下の排気を用いることができる。排気を下流でさらに相殺または補足して、延伸ゾーン内への上流の漂遊流をさらに低減してもよい。
【０１０２】
取出しシステムの別の属性は、フィルムを、出力速度と適合するように取外すことができるような速度およびまたはＭＤ張力制御の方法である。この取出しシステムは、また、フィルムのいかなる残留しわも引き伸ばすために使用することができる。しわは、始動の間、延伸フィルムの最終解放部分の出力速度より高い取出し速度の一時的な増加によって最初に引き伸ばすことができるか、または、しわは、たとえば延伸の最終部分の超一軸延伸の場合、連続操作の間、出力フィルムＭＤ速度より高い一定の速度によって引き伸ばすことができる。取出しの速度は、また、境界軌道に沿って把持線において、フィルムのＭＤ速度より高く設定することができる。これを用いて、フィルムの特性を変更することができる。取出しのこの過速度は、また、Ｕの最終値を低減することができ、それにより、フィルムの最終的な最終用途に関連して、この考慮によって制限される。
【０１０３】
プロセスは、また、領域３８の取外し部分を含む。任意に、ローラ６５を使用してフィルムを前進させてもよいが、これをなくしてもよい。好ましくは、ローラ６５は使用されず、というのは、それは、伸張されたフィルム５２に接触することになり、伸張されたフィルムを損傷する可能性が付随するからである。別のカット６０を行ってもよく、未使用の部分６１を捨ててもよい。取出しシステムを出るフィルムは、典型的には、後の使用のためにロール上に巻かれる。あるいは、取出し後、直接加工が行われてもよい。
【０１０４】
上述されたＭＤおよびＴＤ収縮制御の原理は、また、図１に示された従来のテンター構成を含む他の伸張装置に適用することができる。図１７は、主伸張領域からのトラック６４（図１に示された線形末広がりトラックなど）が、後処理領域の一部の中にまたは後処理領域の一部を通って続く実施形態を示した。次に、フィルムは、必要であれば、分離された取出しシステム１４０、１４１によって任意に捕えられる。トラック６４の連続を用いて、フィルムを冷却し、フィルムの収縮を考慮することができる。いくつかの実施形態において、連続トラック１６４は、後処理領域の少なくとも一部を通って徐々に狭まる経路（約５°以下の角度θを作る）に従い、冷却でのフィルムのＴＤ収縮を考慮する。この構成のトラックは、ＴＤ収縮の制御を可能にして、収縮の均一性を増加させる。いくつかの実施形態において、トラック２６４は、後処理領域の少なくとも一部を通ってより積極的に狭まる経路（少なくとも１５°、典型的には２０°および３０°の範囲内の角度φを作る）に従い、冷却でのフィルムのＭＤ収縮制御をもたらす。図１７に示されているようないくつかの実施形態において、後処理領域は、徐々に狭まるトラック１６４およびより積極的に狭まるトラック２６４の両方を含む。他の実施形態において、１組のトラック１６４およびトラック２６４のみが使用される。
【０１０５】
本発明は、上述された特定の実施例に限定されるとみなされるべきでないが、むしろ、特許請求の範囲に適切に述べられたような本発明の態様をすべて網羅するように理解されるべきである。本発明が適用できるさまざまな修正例、均等なプロセス、および多数の構造は、本明細書を検討すると、本発明が対象とする当業者には容易に明らかであろう。
【符号の説明】
【０１０６】
６４      伸張トラック
１４０    取出しシステム
１４０’    取出しシステム
１４１    取出しシステム
１４１’    取出しシステム
【図１】
2011116132.tif 000005
【図２】
2011116132.tif 000006
【図３】
2011116132.tif 000007
【図４】
2011116132.tif 000008
【図５】
2011116132.tif 000009
【図６】
2011116132.tif 000010
【図７】
2011116132.tif 000011
【図８】
2011116132.tif 000012
【図９】
2011116132.tif 000013
【図１０】
2011116132.tif 000014
【図１１】
2011116132.tif 000015
【図１２】
2011116132.tif 000016
【図１３】
2011116132.tif 000017
【図１４】
2011116132.tif 000018
【図１５】
2011116132.tif 000019
【図１６】
2011116132.tif 000020
【図１７】
2011116132.tif 000021
【図１８】
2011116132.tif 000022
【図１９】
2011116132.tif 000023
【図２０】
2011116132.tif 000024
【図２１】
2011116132.tif 000025
【図２２】
2011116132.tif 000026
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
フィルムを処理するための装置において、
前記フィルムを該装置の内部で流れ方向に沿って搬送するように構成されたコンベヤであって、前記フィルムの両側の端縁部分を保持するように構成された把持部材を備え、一部分に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、両側のトラック、および所望量の伸張の後に前記フィルムの両側の取出し領域を把握して、該フィルムの該両側の取出し領域を該両側のトラックに沿って搬送するように構成された把持部材を備え、該両側のトラックは、該両側のトラックの少なくとも一部が互いに接近する方向へ角度を成して配置される領域を画定する、取出しシステムと、
を具備することを特徴とする装置。
【請求項２】
フィルムを処理する方法において、
把持部材を使用して前記フィルムの両側の端縁部分を保持することと、
前記フィルムを伸張装置の伸張領域内で末広がりの経路に沿って流れ方向に搬送して、該フィルムを伸張することと、
伸張の後に、分離された取出しシステム内で、該取出しシステムの両側の把持部材を使用して前記フィルムの両側の取出し領域を把握することにより、該フィルムを受け取ることと、
前記取出しシステムの、前記両側の把持部材が互いに接近する方向へ角度を成して配置されている部分を通して、前記フィルムを搬送することと、
を含む方法。
【請求項３】
フィルムを処理するための装置において、
前記フィルムの両側の端縁部分を保持するとともに駆動部材の影響下で該フィルムを該装置の内部で流れ方向に沿って搬送する把持部材を備えるコンベヤであって、一部分に末広がりの経路が形成され、該把持部材が該経路に沿って移動して前記フィルムを伸張するように構成される、コンベヤと、
前記フィルムを伸張した後に、前記コンベヤから前記フィルムを受ける分離された取出しシステムであって、第１組の両側のトラック、第２組の両側のトラック、所望量の伸張の後に前記フィルムの両側の第１取出し領域を把握して、該フィルムを該第１組の両側のトラックに沿って搬送するように構成された複数の第１把持部材、および前記フィルムの両側の第２取出し領域を把握して、該フィルムを該第２組の両側のトラックに沿って搬送するように構成された複数の第２把持部材を備え、該第２取出し領域が、該第１取出し領域よりも、前記フィルムの中心に近接して配置される、取出しシステムと、
を具備することを特徴とする装置。
【外国語明細書】
2011116132000001.pdf